(57)【特許請求の範囲】
【請求項１】
移動体通信を管理する方法であって、
移動体アクセスネットワークのセクタにおいて、少なくとも１つの隣り合うセクタに関するパフォーマンス・メトリックを取得することと、
前記（１つまたは複数の）隣り合うセクタの前記パフォーマンス・メトリックの少なくとも一部に基づいて、セクタ間のリソース利用公平性を実装することと、
前記セクタ間のリソース利用公平性を実装することは、干渉回避クレジットを発生する率を確立すること
を備える方法。
【請求項２】
前記セクタ間のリソース利用公平性を実装することが、
前記セクタにおいて干渉回避クレジットを発生させること、
無線リソースのサブセット上の送信電力を修正することを１つまたは複数の隣り合うセクタに要求すること、または
無線リソースの前記サブセット上の前記セクタの送信電力を修正することのうちの少なくとも１つを備える、請求項１に記載の方法。
【請求項３】
送信電力を修正することを前記（１つまたは複数の）隣り合うセクタに要求することが、
前記要求を前記（１つまたは複数の）隣り合うセクタに無線で提出するようにユーザ機器に命令すること、または
前記要求を、前記（１つまたは複数の）隣り合うセクタを前記セクタと結合しているバックホール・ネットワークを介して提出することのうちの少なくとも１つをさらに備える、請求項２に記載の方法。
【請求項４】
セクタ間のリソース利用公平性を実装することが、
干渉回避クレジットを発生する率に基づいて、送信電力を修正するべく前記（１つまたは複数の）隣り合うセクタを要求する比率を制限することとをさらに備える、請求項２に記載の方法。
【請求項５】
送信電力を修正するべく前記（１つまたは複数の）隣り合うセクタを要求する比率を、干渉回避クレジットを発生する最大率または干渉回避クレジットを発生する最小率によって制限することをさらに備える、請求項２に記載の方法。
【請求項６】
前記干渉回避クレジットがリソース利用メッセージを備える、請求項２に記載の方法。
【請求項７】
前記セクタ間のリソース利用公平性を実装することが、
前記移動体アクセスネットワークの前記セクタに関するパフォーマンス・メトリックを取得することと、
前記セクタの前記パフォーマンス・メトリックと前記（１つまたは複数の）隣り合うセクタの前記パフォーマンス・メトリックの比較に少なくとも一部基づいて、前記セクタがリソース利用メッセージを累積する比率を確立することとを備える、請求項１に記載の方法。
【請求項８】
前記リソース利用メッセージ累積率またはパフォーマンス・メトリック比較に少なくとも一部基づいて、バックホール・ネットワークを介して前記隣り合うセクタにリソース利用メッセージを発行することをさらに備える、請求項７に記載の方法。
【請求項９】
前記リソース利用メッセージ累積率またはパフォーマンス・メトリック比較に少なくとも一部基づいて、前記セクタ内の端末がリソース利用メッセージを発行することを可能にすることをさらに備える、請求項７に記載の方法。
【請求項１０】
前記リソース利用メッセージ累積率もしくはパフォーマンス・メトリック比較に基づいて、最小リソース利用メッセージ発行率または最大リソース利用メッセージ発行率を提供することをさらに備える、請求項７に記載の方法。
【請求項１１】
ユニット重みのリソース利用メッセージを累積する比率によって、リソース利用メッセージを発行する比率を変調することをさらに備える、請求項７に記載の方法。
【請求項１２】
前記セクタまたは前記隣り合うセクタの後続のパフォーマンス・メトリックの変更に少なくとも一部基づいて、前記リソース利用メッセージ累積率を更新することをさらに備える、請求項７に記載の方法。
【請求項１３】
所定の定数によって、前記リソース利用メッセージ累積率を更新することをさらに備える、請求項１２に記載の方法。
【請求項１４】
前記セクタの前記パフォーマンス・メトリックに少なくとも一部応じる可変率によって、前記リソース利用メッセージ累積率を更新することをさらに備える、請求項１２に記載の方法。
【請求項１５】
前記パフォーマンス・メトリックとして、メジアンデータ転送速度、平均データ転送速度、スループット、遅延、レイテンシ、帯域幅、信号強度、セクタのトラヒックロード、セクタによってサービス提供される端末の数、保証されたビットレート整合性、またはそれらの組合せを用いることをさらに備える、請求項１に記載の方法。
【請求項１６】
セクタ間のリソース利用公平性を実装することが、前記移動体アクセスネットワークの複数のセクタのパフォーマンス・メトリックを集約することをさらに備える、請求項１に記載の方法。
【請求項１７】
前記セクタに関するパフォーマンス・メトリックが前記集約パフォーマンス・メトリック未満の場合、送信電力を修正することを前記（１つまたは複数の）隣り合うセクタに要求する比率を増大することをさらに備える、請求項１６に記載の方法。
【請求項１８】
前記セクタに関するパフォーマンス・メトリックが前記集約パフォーマンス・メトリック以上である場合、送信電力を修正することを前記（１つまたは複数の）隣り合うセクタに要求する比率を低減することをさらに備える、請求項１６に記載の方法。
【請求項１９】
前記（１つまたは複数の）隣り合うセクタからパフォーマンス・メトリック情報を収集するためにネットワークバックホールを用いること、または
前記移動体アクセスネットワークによってサービス提供されるユーザ端末から前記パフォーマンス・メトリック情報を受信すること
のうち少なくとも１つをさらに備える、請求項１に記載の方法。
【請求項２０】
前記隣り合うセクタによって発行されたリソース利用メッセージの優先順位を決定するために、前記セクタ間のリソース利用公平性の測定を用いることをさらに備える、請求項１に記載の方法。
【請求項２１】
前記セクタ間のリソース利用公平性の測定に少なくとも一部基づいて、前記セクタによって発行されたリソース利用メッセージの優先順位に重み付けることをさらに備える、請求項１に記載の方法。
【請求項２２】
無線通信を管理する装置であって、
移動体アクセスネットワークのセクタにおいて、少なくとも１つの隣り合うセクタに関するパフォーマンス・メトリックを取得するデータ・コレクタと、
前記（１つまたは複数の）隣り合うセクタの前記パフォーマンス・メトリックに少なくとも一部基づいて、セクタ間のリソース利用公平性を実装し、前記セクタ間のリソース利用公平性を実装することは、干渉回避クレジットを発生する率を確立することを備える管理モジュールと、
前記装置のモジュールに関して取得されたパフォーマンス・メトリック・データおよび命令を格納するメモリと、
前記装置の機能を実装するために、前記メモリ内に格納された前記命令を実行するプロセッサと、
を備える装置。
【請求項２３】
前記管理モジュールが、
前記セクタにおいて干渉回避クレジットを発生させること、
無線リソースのサブセット上の送信電力を修正することを１つまたは複数の隣り合うセクタに要求すること、または
無線リソースの前記サブセット上の前記セクタの送信電力を修正することのうちの少なくとも１つによって、セクタ間のリソース利用公平性を実装する、請求項２２に記載の装置。
【請求項２４】
前記管理モジュールが、
前記要求を前記（１つまたは複数の）隣り合うセクタに無線で提出するようにユーザ機器に命令すること、または
前記要求を前記（１つまたは複数の）隣り合うセクタを前記セクタと結合しているバックホール・ネットワークを介して提出することのうちの少なくとも１つを行う、請求項２３に記載の装置。
【請求項２５】
前記管理モジュールが、
前記干渉回避クレジットを発生する率に基づいて、送信電力を修正するべく前記（１つまたは複数の）隣り合うセクタに要求する比率を制限することとによって、セクタ間のリソース利用公平性をさらに実装する、請求項２３に記載の装置。
【請求項２６】
前記管理モジュールが、送信電力を修正するべく前記（１つまたは複数の）隣り合うセクタに要求する比率を、干渉回避クレジットを発生する最大率または干渉回避クレジットを発生する最小率によって制限する、請求項２３に記載の装置。
【請求項２７】
前記干渉回避クレジットがリソース利用メッセージを備える、請求項２３に記載の装置。
【請求項２８】
前記データ・コレクタが、前記移動体アクセスネットワークの前記セクタに関するパフォーマンス・メトリックを取得し、
前記管理モジュールが、前記セクタの前記パフォーマンス・メトリックと前記（１つまたは複数の）隣り合うセクタの前記パフォーマンス・メトリックの比較に少なくとも一部基づいて、前記セクタに関するリソース利用メッセージ累積率を確立する、
請求項２２に記載の装置。
【請求項２９】
前記リソース利用メッセージ累積率もしくはパフォーマンス・メトリック比較に少なくとも一部基づいて、バックホール・ネットワークを介して前記隣り合うセクタにリソース利用メッセージを発行すること、または、
前記リソース利用メッセージ累積率もしくはパフォーマンス・メトリック比較に少なくとも一部基づいて、前記リソース利用メッセージを発行するように前記セクタ内の端末に命令すること
のうちの少なくとも１つを行う、実装モジュールをさらに備える、請求項２８に記載の装置。
【請求項３０】
前記実装モジュールが、ユニット重みのリソース利用メッセージを累積する比率によって、リソース利用メッセージを発行する比率を変調する、請求項２９に記載の装置。
【請求項３１】
前記実装モジュールが、前記リソース利用メッセージ累積率またはパフォーマンス・メトリック比較に少なくとも一部基づいて、最小リソース利用メッセージ発行率または最大リソース利用メッセージ発行率を提供する、請求項２９に記載の装置。
【請求項３２】
前記セクタの後続のパフォーマンス・メトリックの変更に少なくとも一部基づいて、前記リソース利用メッセージ累積率を更新する優先順位調整モジュールをさらに備える、請求項２８に記載の装置。
【請求項３３】
前記データ・コレクタが、前記移動体アクセスネットワークの複数のセクタに関するパフォーマンス・メトリック・データを集約し、
前記セクタに関するリソース利用メッセージ累積率が、前記集約パフォーマンス・メトリック・データに少なくとも一部基づく、
請求項３２に記載の装置。
【請求項３４】
前記セクタに関するパフォーマンス・メトリックが前記集約パフォーマンス・メトリック未満である場合、前記優先順位調整モジュールが、送信電力を修正することを前記（１つまたは複数の）隣り合うセクタに要求する比率を増大する、請求項３３に記載の装置。
【請求項３５】
前記セクタに関するパフォーマンス・メトリックが前記集約パフォーマンス・メトリック以上である場合、前記優先順位調整モジュールが、送信電力を修正することを前記（１つまたは複数の）隣り合うセクタに要求する比率を低減する、請求項３３に記載の装置。
【請求項３６】
前記優先順位調整モジュールが、所定の定数によって前記リソース利用メッセージ累積率を更新する、請求項３２に記載の装置。
【請求項３７】
前記優先順位調整モジュールが、前記セクタの前記パフォーマンス・メトリック、または前記（１つもしくは複数の）隣り合うセクタの前記パフォーマンス・メトリックに少なくとも一部応じる可変率によって前記リソース利用メッセージ累積率を更新する、請求項３２に記載の装置。
【請求項３８】
前記パフォーマンス・メトリックが、メジアンデータ転送速度、平均データ転送速度、スループット、遅延、レイテンシ、帯域幅、信号強度、セクタのトラヒックロード、セクタによってサービス提供される端末の数、保証されたビットレート整合性、またはそれらの組合せを備える、請求項２２に記載の装置。
【請求項３９】
前記データ・コレクタが、ネットワークバックホールを経由して前記パフォーマンス・メトリックを取得する、請求項２２に記載の装置。
【請求項４０】
前記データ・コレクタが、前記移動体アクセスネットワークによってサービス提供されるユーザ端末から前記パフォーマンス・メトリックを取得する、請求項２２に記載の装置。
【請求項４１】
前記隣り合うセクタによって発行されたリソース利用メッセージに関する優先順位を決定するために、前記セクタ間のリソース利用公平性の測定を用いるリソース利用メッセージパーサをさらに備える、請求項２２に記載の装置。
【請求項４２】
前記セクタ間のリソース利用公平性の測定に少なくとも一部基づいて、前記セクタのデバイスによって発行されたリソース利用メッセージの重みを調整する優先順位モジュールをさらに備える、請求項２２に記載の装置。
【請求項４３】
移動体通信を管理するように構成された装置であって、
移動体アクセスネットワークのセクタにおいて、少なくとも１つの隣り合うセクタのパフォーマンス・メトリックを取得するための手段と、
前記（１つまたは複数の）隣り合うセクタの前記パフォーマンス・メトリックに少なくとも一部基づいて、セクタ間のリソース利用公平性を実装するための手段とを備え、
セクタ間のリソース利用公平性を実装するための前記手段は、干渉回避クレジットを発生する率を確立するための手段を備える、装置。
【請求項４４】
セクタ間のリソース利用公平性を実装するための前記手段が、前記（１つもしくは複数の）隣り合うセクタの前記パフォーマンス・メトリックまたは前記セクタのパフォーマンス・メトリック、あるいはかかるメトリックの組合せに基づいて、前記セクタに関するリソース利用メッセージ累積率を確立するための手段を備える、請求項４３に記載の装置。
【請求項４５】
前記リソース利用メッセージ累積率に少なくとも一部基づいて、リソース利用メッセージを送るための比率を決定するための手段をさらに備える、請求項４４に記載の装置。
【請求項４６】
前記比較における変更に少なくとも一部基づいて、前記リソース利用メッセージ累積率を更新するための手段をさらに備える、請求項４４に記載の装置。
【請求項４７】
複数のセクタに関する前記パフォーマンス・メトリックを集約するための手段をさらに備え、更新するための前記手段が、集約されたパフォーマンス・メトリックに少なくとも一部基づいて、前記リソース利用メッセージ累積率を調整する、請求項４６に記載の装置。
【請求項４８】
更新するための前記手段が、
前記セクタに関する前記パフォーマンス・メトリックが、前記集約されたパフォーマンス・メトリック未満である場合、前記リソース利用メッセージ累積率を増大すること、または
前記セクタに関する前記パフォーマンス・メトリックが、前記集約されたパフォーマンス・メトリック以上である場合、前記リソース利用メッセージ累積率を低減すること
のうちの少なくとも１つを行う、請求項４７に記載の装置。
【請求項４９】
移動体通信を管理するように構成されたプロセッサであって、
移動体アクセスネットワークのセクタにおいて、少なくとも１つの隣り合うセクタのパフォーマンス・メトリックを取得する第１のモジュールと、
前記（１つまたは複数の）隣り合うセクタの前記パフォーマンス・メトリックに少なくとも一部基づいて、セクタ間のリソース利用公平性を実装する第２のモジュールとを備え、
セクタ間のリソース利用公平性を実装することは、干渉回避クレジットを発生する率を確立することを備える、プロセッサ。
【請求項５０】
移動体通信を管理するように構成されたコンピュータ可読命令を備え、前記命令が、
移動体アクセスネットワークのセクタにおいて、少なくとも１つの隣り合うセクタに関するパフォーマンス・メトリックを取得して、
前記（１つまたは複数の）隣り合うセクタの前記パフォーマンス・メトリックの少なくとも一部に基づいて、セクタ間のリソース利用公平性を実装し、
前記セクタ間のリソース利用公平性を実装することは、干渉回避クレジットを発生する率を確立することを備える、少なくとも１つのコンピュータによって実行可能なコンピュータ可読記録媒体。
【請求項５１】
無線通信を円滑にするための方法であって、
移動体基地局の信号パフォーマンス・メトリックを備える無線伝送を取得することと、
少なくとも一部、前記信号パフォーマンス・メトリックを、サービス提供している移動体基地局に転送することによって、セクタ間のリソース利用公平性を実装することとを備え、
前記セクタ間のリソース利用公平性を実装することは、干渉回避クレジットを発生する率を確立する方法。
【請求項５２】
前記信号パフォーマンス・メトリックに少なくとも一部基づいて、アクセス端末にリソース利用メッセージを発行する第２の無線伝送を受信することをさらに備える、請求項５１に記載の方法。
【請求項５３】
前記リソース利用メッセージ内に含まれた重み係数を決定すること、または
前記サービス提供している移動体基地局に関連するセクタのパフォーマンス・メトリックを取得すること
のうちの少なくとも１つをさらに備える、請求項５２に記載の方法。
【請求項５４】
前記重み係数または前記セクタ・パフォーマンス・メトリックに少なくとも一部基づいて、前記リソース利用メッセージに従うことをさらに備える、請求項５３に記載の方法。
【請求項５５】
前記サービス提供している移動体基地局に関連するセクタのパフォーマンス・メトリックを決定するために、前記第２の無線伝送を解析することと、
前記セクタの前記パフォーマンス・メトリックを、前記サービス提供している移動体基地局に送信することと
をさらに備える、請求項５２に記載の方法。
【請求項５６】
前記セクタの前記パフォーマンス・メトリック、あるいは前記セクタおよび１つもしくは複数のその他のセクタの集約セクタ・パフォーマンス・メトリックと比較した、前記アクセス端末によって観測された干渉によって少なくとも一部決定された調整可能な比率で、リソース利用メッセージを累積することをさらに備える、請求項５５に記載の方法。
【請求項５７】
最小率または最大率を用いて、前記リソース利用メッセージ累計率を変調することをさらに備える、請求項５６に記載の方法。
【請求項５８】
アクセス端末であって、
移動体基地局の信号パフォーマンス・メトリックを備えた第１の無線伝送と、リソース利用メッセージを備えた第２の無線伝送とを取得する受信機と、
少なくとも一部、前記信号パフォーマンス・メトリックを、サービス提供している移動体基地局に無線で送信することによって、セクタ間のリソース利用公平性を実装するルーティング・モジュールと、
前記アクセス端末に関するデータ・モジュールおよびプロセス・モジュールを格納するメモリと、
前記アクセス端末の機能を実装するために、プロセス・モジュール命令を実行するプロセッサとを備え、
前記ルーティング・モジュールは、干渉回避クレジットを発生する率を確立するアクセス端末。
【請求項５９】
前記受信機が、前記信号パフォーマンス・メトリックに少なくとも一部基づいて、前記アクセス端末にリソース利用メッセージを発行する第２の無線伝送を取得する、請求項５８に記載のアクセス端末。
【請求項６０】
前記リソース利用メッセージの重み係数を決定する優先順位モジュール、または
前記サービス提供している移動体基地局に関連するセクタのパフォーマンス・メトリックを測定するチャネル解析モジュール
のうちの少なくとも１つをさらに備える、請求項５９に記載のアクセス端末。
【請求項６１】
前記重み係数と前記セクタ・パフォーマンス・メトリックの比較に基づいて、前記リソース利用メッセージに従うことを前記プロセッサに命令する裁定構成要素をさらに備える、請求項６０に記載のアクセス端末。
【請求項６２】
前記サービス提供している移動体基地局に関連するセクタのパフォーマンス・メトリックを決定するために、前記第２の無線伝送を測定するチャネル解析モジュールをさらに備える、請求項５８に記載のアクセス端末。
【請求項６３】
前記受信機が、前記セクタの前記パフォーマンス・メトリック、または前記アクセス端末によって観測された干渉、ならびに前記セクタおよび１つもしくは複数のその他のセクタの集約セクタ・パフォーマンス・メトリックによって少なくとも一部決定された調整可能な比率で、前記サービス提供している移動体基地局によって前記アクセス端末に割り当てられたリソース利用メッセージを累積する、請求項６２に記載のアクセス端末。
【請求項６４】
前記リソース利用メッセージ累積率が、最小率または最大率を用いて変調される、請求項６３に記載のアクセス端末。
【請求項６５】
無線通信を円滑にする装置であって、
移動体基地局の信号パフォーマンス・メトリックを備えた第１の無線伝送と、リソース利用メッセージを備えた第２の無線伝送とを取得するための手段と、
少なくとも一部、前記パフォーマンス・メトリックを、サービス提供している移動体基地局に無線で送信することによって、セクタ間のリソース利用公平性を実装するための手段と、
当該装置に関するデータ・モジュールおよびプロセス・モジュールを格納するための手段と、
当該装置の機能を実施するためのプロセス・モジュール命令を実行する処理のための手段と、
を備え、
前記セクタ間のリソース利用公平性を実装するための手段は、干渉回避クレジットを発生する率を確立する手段を備える装置。
【請求項６６】
前記第１の無線伝送を取得するための前記手段が、前記信号パフォーマンス・メトリックに一部基づいて、前記装置にリソース利用メッセージを発行する第２の無線伝送をさらに取得する、請求項６５に記載の装置。
【請求項６７】
前記サービス提供している移動体基地局に関連するセクタのパフォーマンス・メトリックを測定するための手段と、
前記セクタ・パフォーマンス・メトリックに少なくとも一部基づいて、前記リソース利用メッセージに従うかどうかを決定するための手段と
をさらに備える、請求項６６に記載の装置。
【請求項６８】
前記サービス提供している基地局のセクタ・パフォーマンス・メトリックを決定するために、前記第２の無線伝送を解析するための手段をさらに備える、請求項６６に記載の装置。
【請求項６９】
前記セクタの前記パフォーマンス・メトリック、または前記装置によって観測された干渉、ならびに前記セクタおよび１つもしくは複数のその他のセクタの集約セクタ・パフォーマンス・メトリックによって少なくとも一部決定された調整可能な比率で、前記サービス提供している移動体基地局によって前記装置に割り当てられたリソース利用メッセージを累積するための手段をさらに備える、請求項６８に記載の装置。
【請求項７０】
最小率または最大率を用いて、前記リソース利用メッセージ累積率を変調するための手段をさらに備える、請求項６９に記載の装置。
【請求項７１】
無線通信を円滑にするように構成されたプロセッサであって、
移動体基地局の信号パフォーマンス・メトリックを備えた無線伝送を取得する第１のモジュールと、
少なくとも一部、前記信号パフォーマンス・メトリックを、サービス提供している移動体基地局に転送することによって、セクタ間のリソース利用公平性を実装する第２のモジュールと、を備え
前記第２のモジュールは、干渉回避クレジットを発生する率を確立するプロセッサ。
【請求項７２】
無線通信を円滑にするように構成されたコンピュータ可読命令を備え、前記命令が、
移動体基地局の信号パフォーマンス・メトリックを備えた無線伝送を取得して、
少なくとも一部、前記信号パフォーマンス・メトリックを、サービス提供している移動体基地局に転送することによって、干渉回避クレジットを発生する率を確立するべくセクタ間のリソース利用公平性を実装するために、少なくとも１つのコンピュータによって実行可能なコンピュータ可読記録媒体。
【発明の詳細な説明】
【技術分野】
【０００１】
米国特許法第１１９条に基づく優先権の主張
本特許出願は、２００８年２月１３日に出願され、本譲受人に譲渡され、参照により本明細書に明示的に組み込まれている、「ＡＤＡＰＴＩＶＥ  ＡＬＧＯＲＩＴＨＭＳ  ＦＯＲ  ＩＮＴＥＲＦＥＲＥＮＣＥ  ＭＡＮＡＧＥＭＥＮＴ  ＭＥＳＳＡＧＩＮＧ  ＷＩＴＨ  ＩＮＴＥＲ−ＳＥＣＴＯＲ  ＦＡＩＲＮＥＳＳ  ＩＮ  Ａ  ＷＩＲＥＬＥＳＳ  ＮＥＴＷＯＲＫ」という表題の仮出願第６１／０２８，４９７号の優先権を主張する。
【０００２】
同時係属特許出願の参照
本特許出願は、以下の、同時係属米国特許出願に関係する。
【０００３】
本明細書と同時に出願され、本譲受人に譲渡され、参照により本明細書に明示的に組み込まれている、整理番号第０８０２６９号を有する、Ａａｍｏｄ  Ｋｈａｎｄｅｋａｒらによる「ＰＲＥＡＭＢＬＥ  ＤＥＳＩＧＮ  ＦＯＲ  Ａ  ＷＩＲＥＬＥＳＳ  ＳＩＧＮＡＬ」があり、
本明細書と同時に出願され、本譲受人に譲渡され、参照により本明細書に明示的に組み込まれている、整理番号第０８０２７８Ｕ１号を有する、Ａａｍｏｄ  Ｋｈａｎｄｅｋａｒらによる「ＰＲＥＡＭＢＬＥ  ＤＥＳＩＧＮ  ＦＯＲ  Ａ  ＷＩＲＥＬＥＳＳ  ＳＩＧＮＡＬ」があり、
本明細書と同時に出願され、本譲受人に譲渡され、参照により本明細書に明示的に組み込まれている、整理番号第０８０２７８Ｕ２号を有する、Ａａｍｏｄ  Ｋｈａｎｄｅｋａｒらによる「ＰＲＥＡＭＢＬＥ  ＤＥＳＩＧＮ  ＦＯＲ  Ａ  ＷＩＲＥＬＥＳＳ  ＳＩＧＮＡＬ」があり、
本明細書と同時に出願され、本譲受人に譲渡され、参照により本明細書に明示的に組み込まれている、整理番号第０８０２７８Ｕ３号を有する、Ａａｍｏｄ  Ｋｈａｎｄｅｋａｒらによる「ＰＲＥＡＭＢＬＥ  ＤＥＳＩＧＮ  ＦＯＲ  Ａ  ＷＩＲＥＬＥＳＳ  ＳＩＧＮＡＬ」があり、
本明細書と同時に出願され、本譲受人に譲渡され、参照により本明細書に明示的に組み込まれている、整理番号第０８０６９４号を有する、Ａａｍｏｄ  Ｋｈａｎｄｅｋａｒらによる「ＢＡＣＫＨＡＵＬ  ＳＩＧＮＡＬＩＮＧ  ＦＯＲ  ＩＮＴＥＲＦＥＲＥＮＣＥ  ＡＶＯＩＤＡＮＣＥ」がある。
【０００４】
以下は、一般に、無線通信に関し、より詳細には、複数の移動体通信環境において、アイドル・モードの移動度管理を提供することに関する。
【背景技術】
【０００５】
無線通信システムは、例えば、音声コンテンツ、データ・コンテンツなど、様々なタイプの通信コンテンツを提供するために広く配備されている。典型的な無線通信システムは、利用可能なシステム・リソース（例えば、帯域幅、送信電力）を共有することによって、複数のユーザとの通信をサポートすることが可能な多元接続システムであり得る。かかる多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。
【０００６】
一般に、無線多元接続通信システムは、複数の移動体デバイスに関する通信を同時にサポートすることが可能である。それぞれの移動体デバイスは、順方向リンク上および逆方向リンク上の伝送を経由して、１つまたは複数の基地局と通信することが可能である。順方向リンク（すなわち、ダウンリンク）は、基地局から移動体デバイスへの通信リンクを指し、逆方向リンク（すなわち、アップリンク）は、移動体デバイスから基地局への通信リンクを指す。さらに、移動体デバイスと基地局との間の通信は、単一入力単一出力（ＳＩＳＯ）システム、多入力単一出力（ＭＩＳＯ）システム、多入出力（ＭＩＭＯ）システムなどを経由して確立されることが可能である。
【０００７】
移動体通信技術の１つの重要な態様は、送信機同士の間の干渉を管理することである。例えば、セルラ電話サイトの典型的なセルは、そのセル内のユーザ端末と通信するために、複数のトランシーバ基地局を利用する。基地局の伝送領域は、通常、単一の受信機が、多くの場合、所与の時点で、いくつかの重なりのある信号を取得するように重なる。したがって、信号干渉は、かかる受信機において、信号の明瞭さを潜在的に低減し、修正されない状態に残された場合、セル通信品質を低減する。
【０００８】
サイト間干渉を低減するための多くの機構が存在する。いくつかの機構は、受信機における改善された信号解析により、より高いレベルの干渉に耐えることができるＭＩＳＯトランシーバおよびＭＩＭＯトランシーバを利用することを必要とする。（例えば、直交周波数分割多重化［ＯＦＤＭ］と共に利用される）直交マルチキャリア変調など、より新しい変調技法は、信号干渉を効果的に低減することが可能である。ＯＦＤＭは、キャリア信号間の漏話干渉を大いに低減するために、直交副搬送波周波数を用いる。もう１つの技法は、１つまたは複数のチャネルリソース上の基本干渉源の伝送電力低減を要求することを含む。干渉源の伝送電力が受け入れ可能な範囲内に維持される場合、チャネルリソース上の重なりのある信号は、多くの場合、受信機において許容され得る。
【０００９】
しかし、移動体通信システムは、新しい調査および技術が発見されるため、常に流動状態にある。移動体技術におけるアーキテクチャ上の変更は、データ転送速度、帯域幅を高めるように、またはすべてのデータ通信に発展するように実装される。干渉問題は、通常、これまでの干渉管理機構によって提供されるバランスが妨害されることになるかどうかを決定するために、それぞれの新しい技術に関して、再度取り上げられなければならない。したがって、信号干渉管理は、継続中の問題であり、新しい移動体通信技術が実装されるにつれて、新しい解決策を必要とする。
【発明の概要】
【００１０】
以下は、１つまたは複数の態様の基本的な理解をもたらすために、かかる態様の簡素化された概要を提示する。この概要は、すべての企図される態様の広範囲にわたる概要ではなく、すべての態様の主要な要素もしくは重要な要素を識別すること、または任意のもしくはすべての態様の範囲を描写することが意図されない。その唯一の目的は、後に提示される、より詳細な説明の前置きとして、１つまたは複数の態様のいくつかの概念を簡素化された形で提示することである。
【００１１】
本開示は、ＡＮのセクタのパフォーマンス・メトリックに基づいて、移動体無線アクセスネットワーク（ＡＮ）に関する干渉管理を提供する。パフォーマンス・メトリックは、平均データ転送速度、メジアンデータ転送速度、保証されたビットレート要件を満たすことなど、様々なサービスの品質（ＱｏＳ）パラメータを含み得る。セクタにおけるリソース利用メッセージ（ＲＵＭ）の累積は、１つまたは複数の隣り合うセクタと比較した、そのセクタのパフォーマンス・メトリックに少なくとも一部基づき得る。少なくとも１つの態様では、複数のセクタ・パフォーマンス・メトリックが集約されることが可能であり、それぞれのセクタのＲＵＭ累積率は、その集約されたメトリックに基づいて決定される。累積率は、経時的に管理されて、セクタおよび／または集約されたメトリックが変更するにつれて変更されることが可能である。したがって、ＲＵＭの累積および利用は、移動体ＡＮの平均セクタ伝送品質を最適化するためのセクタ間の公平性に基づく。
【００１２】
１つまたは複数の態様では、開示されるのは、移動体通信を管理する方法である。この方法は、移動体ＡＮのセクタにおいて、少なくとも１つの隣り合うセクタに関するパフォーマンス・メトリックを取得することを備え得る。さらに、この方法は、（１つまたは複数の）隣り合うセクタのパフォーマンス・メトリックに少なくとも一部基づいて、セクタ間のリソース利用公平性を実装することを備え得る。
【００１３】
その他の態様によれば、提供されるのは、無線通信を管理する装置である。この装置は、移動体ＡＮのセクタにおいて、少なくとも１つの隣り合うセクタに関するパフォーマンス・メトリックを取得するデータ・コレクタを備え得る。加えて、この装置は、（１つまたは複数の）隣り合うセクタのパフォーマンス・メトリックに少なくとも一部基づいて、セクタ間のリソース利用公平性を実装する管理モジュールを備え得る。さらに、この装置は、取得されたパフォーマンス・メトリック・データ、装置のプロセス・モジュールに関する命令、またはプロセス動作の結果のうちの１つもしくは複数を格納するメモリと、装置の機能を実装するために、そのメモリ内に格納されたプロセス・モジュール命令を実行するプロセッサとを含み得る。
【００１４】
１つまたは複数の態様では、開示されるのは、移動体通信を管理するように構成された装置である。この装置は、移動体ＡＮのセクタにおいて、少なくとも１つの隣り合うセクタに関するパフォーマンス・メトリックを取得するための手段を含み得る。加えて、この装置は、（１つまたは複数の）隣り合うセクタの第２のパフォーマンス・メトリックに少なくとも一部基づいて、セクタ間のリソース利用公平性を実装するための手段を備え得る。
【００１５】
その他の態様によれば、開示されるのは、移動体通信を管理するように構成されたプロセッサである。このプロセッサは、移動体ＡＮのセクタにおいて、少なくとも１つの隣り合うセクタに関するパフォーマンス・メトリックを取得する第１のモジュールを備え得る。さらに、このプロセッサは、（１つまたは複数の）隣り合うセクタのパフォーマンス・メトリックに少なくとも一部基づいて、セクタ間のリソース利用公平性を実装する第２のモジュールを備え得る。
【００１６】
上記に加えて、提供されるのは、移動体通信を管理するように構成されたコンピュータ可読命令を備えたコンピュータ可読媒体である。これらの命令は、移動体ＡＮのセクタにおいて、少なくとも１つの隣り合うセクタに関するパフォーマンス・メトリックを取得するために、少なくとも１つのコンピュータによって実行可能であり得る。さらに、これらの命令は、（１つまたは複数の）隣り合うセクタのパフォーマンス・メトリックに少なくとも一部基づいて、セクタ間のリソース利用公平性を実装するために、少なくとも１つのコンピュータによって実行可能であり得る。
【００１７】
１つまたは複数の追加の態様では、開示されるのは、無線通信を円滑にする方法である。この方法は、移動体基地局の信号パフォーマンス・メトリックを備えた無線（ＯＴＡ）伝送を取得することを備え得る。この方法は、少なくとも一部、信号パフォーマンス・メトリックを、サービス提供している移動体基地局に転送することによって、セクタ間のリソース利用公平性を円滑にすることをさらに備え得る。
【００１８】
その他の態様によれば、提供されるのは、アクセス端末（ＡＴ）である。このＡＴは、移動体基地局の信号パフォーマンス・メトリックを備えた第１のＯＴＡ伝送を取得する受信機を備え得る。このＡＴは、少なくとも一部、信号パフォーマンス・メトリックを、サービス提供している移動体基地局に無線で送信することによって、セクタ間のリソース利用公平性を円滑にするルーティング・モジュールをさらに備え得る。加えて、このＡＴは、ＡＴに関するデータ・モジュールおよびプロセス・モジュールを格納するメモリと、ＡＴの機能を実装するためにプロセス・モジュール命令を実行するプロセッサとを備え得る。
【００１９】
さらにその他の態様では、開示されるのは、無線通信を円滑にする装置である。この装置は、移動体基地局の信号パフォーマンス・メトリックを備えた第１のＯＴＡ伝送を取得するための手段を備え得る。この装置は、少なくとも一部、信号パフォーマンス・メトリックを、サービス提供している移動体基地局に無線で送信することによって、セクタ間のリソース利用公平性を円滑にするための手段をさらに備え得る。加えて、この装置は、装置に関するデータ・モジュールおよびプロセス・モジュールを格納するための手段と、装置の機能を実施するためのプロセス・モジュール命令を実行する処理のための手段とを備え得る。
【００２０】
少なくとも１つの態様では、提供されるのは、無線通信を円滑にするように構成されたプロセッサである。このプロセッサは、移動体基地局の信号パフォーマンス・メトリックを備えたＯＴＡ伝送を取得する第１のモジュールを備え得る。加えて、このプロセッサは、少なくとも一部、信号パフォーマンス・メトリックを、サービス提供している移動体基地局に転送することによって、セクタ間のリソース利用公平性を実装する第２のモジュールを備え得る。
【００２１】
１つまたは複数のその他の態様によれば、開示されるのは、無線通信を円滑にするように構成されたコンピュータ可読命令を備えたコンピュータ可読媒体である。これらの命令は、移動体基地局の信号パフォーマンス・メトリックを備えたＯＴＡ伝送を取得するために、少なくとも１つのコンピュータによって実行可能である。加えて、これらの命令は、少なくとも一部、信号パフォーマンス・メトリックを、サービス提供している移動体基地局に転送することによって、セクタ間のリソース利用公平性を実装するために、少なくとも１つのコンピュータによって実行可能である。
【００２２】
前述の目的および関係する目的を達成するために、１つまたは複数の態様は、以下で十分に説明され、特に、特許請求の範囲において指摘される特徴を備える。以下の説明および添付の図面は、１つまたは複数の態様のいくつかの例示的な態様を詳細に記載する。しかし、これらの態様は、様々な態様の原理が用いられることが可能な様々な方式のほんのいくつかを示し、説明される態様は、すべてのかかる態様およびそれらの均等物を含むことが意図される。
【図面の簡単な説明】
【００２３】
【図１】本明細書で記載される態様による、無線通信を提供する例示的なシステムのブロック図。
【図２】無線通信環境と共に用いるための例示的な通信装置のブロック図。
【図３】移動体ＡＮのセクタ・リソース利用メッセージ（ＲＵＭ）累積レートを決定する例示的なシステムのブロック図。
【図４】本開示の態様によるサンプルＲＵＭ管理装置のブロック図。
【図５】本明細書で開示される態様による、移動体ＡＮに関するＲＵＭ管理のブロック図。
【図６】セクタ・パフォーマンスに基づいて、ＲＵＭ累積管理を提供するサンプル基地局のブロック図。
【図７】セクタＲＵＭ管理に関するセクタ・パフォーマンス・メトリックの集約を円滑にする例示的なアクセス端末のブロック図。
【図８】移動体ＡＮのパフォーマンス・メトリックに基づいて、ＲＵＭ累積を提供する例示的な方法論の流れ図。
【図９】集約セクタ・パフォーマンス・メトリックに基づいて、ＲＵＭ管理を提供するためのサンプル方法論の流れ図。
【図１０】１つまたは複数の態様に基づいて、ＲＵＭ管理を円滑にするためのサンプル方法論の流れ図。
【図１１】本開示の態様による、デバイス間に無線通信を提供する例示的なシステムのブロック図。
【図１２】移動体ＡＮのセクタ・パフォーマンス・メトリックに基づいて、ＲＵＭ累積を提供する例示的なシステムのブロック図。
【図１３】移動体ＡＮのセクタ・パフォーマンス・メトリックに基づいて、ＲＵＭ累積を提供する例示的なシステムのブロック図。
【発明を実施するための形態】
【００２４】
次に、その全体にわたって類似の要素を指すために類似の参照番号が使用される図面を参照して、様々な態様が説明される。以下の説明では、説明のために、１つまたは複数の態様の十分な理解をもたらす目的で、多数の特定の詳細が記載される。しかし、かかる（１つまたは複数の）態様は、これらの特定の詳細なしで実施されることが可能である点は明らかであろう。その他の例では、１つまたは複数の態様の説明を円滑にする目的で、よく知られている構造およびデバイスは、ブロック図の形で示される。
【００２５】
加えて、本開示の様々な態様が下で説明される。本明細書の教示は、幅広い形式で実施されることが可能であり、本明細書で説明される任意の特定の構造および／または機能は、単なる表現である点を理解されたい。本明細書の教示に基づいて、当業者は、本明細書で開示される態様は、任意のその他の態様から独立して実装されることが可能であり、これらの態様の２つ以上が様々な形で組み合わされることが可能である点を理解されたい。例えば、本明細書に記載された、任意の数の態様を使用して、装置が実装されることかつ／または方法が実施されることが可能である。加えて、本明細書に記載される１つもしくは複数の態様に加えて、あるいはそれらの態様以外のその他の構造および／または機能性を使用して、装置が実装されることかつ／または方法が実施されることが可能である。例として、本明細書で開示される方法、デバイス、システム、および装置の多くは、複数のセクタのパフォーマンス・メトリックに基づいて、移動体ネットワークの１つまたは複数のセクタに関するＲＵＭ累積率を決定するという状況に関して説明される。当業者は、その他の通信環境に類似の技法を適用することが可能である点を理解されたい。
【００２６】
本開示は、移動体アクセスネットワーク（ＡＮ）のセクタ間でリソース利用公平性を実装することを実現する。公平性は、もう１つのセクタのパフォーマンス・メトリックと比較した、その移動体ＡＮの１つのセクタ・パフォーマンス・メトリックに少なくとも一部基づき得る。本開示の少なくとも１つの態様では、リソース利用公平性は、移動体ＡＮのセクタに関する（例えば、リソース利用メッセージ［ＲＵＭ］を備えた）干渉回避クレジット（interference avoidance credits）の累積を確立および／または調整することによって実装され得る。干渉回避クレジットは、無線ＡＮの隣り合うセクタ同士の間の干渉を修正するために利用され得る。一例では、セクタが無線リソースのサブセットに関する送信電力を修正することを要求する干渉回避クレジットは、隣り合うセクタに対して発行され得る。この干渉回避クレジットは、低減された干渉に関する特定のリソース、修正された送信電力の程度、またはそれら両方を指定することが可能である。もう１つ例では、この干渉回避クレジットは、結果として、セクタに無線リソースのサブセットに関するその独自の送信電力を修正させることが可能である。干渉は、通常、受信機において取得された相対的な信号レベルの結果として生じるため、セクタの独自の送信電力の修正は、セクタによってサービス提供される端末デバイスにおける干渉に影響を及ぼす可能性もある。前述の説明に加えて、干渉回避クレジットを発生させることは、セクタによって何の処置も（例えば、何の修正も、または送信電力を修正するための修正要求も）取られないことにつながる可能性がある。何のタイプの処置が最も適切かを決定することは、本明細書で説明される、隣り合うセクタのパフォーマンス・メトリック、そのセクタのパフォーマンス・メトリック、複数のセクタの集約パフォーマンス・メトリック、端末デバイスにおいて観測された干渉、セクタ負荷などに基づき得る。
【００２７】
干渉回避クレジットの一例は、ＲＵＭである。ＲＵＭは、近傍の送信機にその送信電力を低減するように命令する目的で無線通信デバイスに対してかつ／または無線通信デバイスによって発行されるメッセージである。通常、ＲＵＭを発行するための決定は、１つまたは複数の干渉している送信機から生じる、通信デバイスにおける信号干渉に基づく。ＲＵＭを受信しているデバイスは、ＲＵＭを発行しているデバイスにおける干渉を低減すべき所定の要因によって、その送信電力を低減することが可能である。公平性を実装するために、複数のセクタのパフォーマンス・メトリックは、１つもしくは複数のセクタが、その他のセクタ、またはセクタの集約に関して、欠点があるかどうかを決定するために、比較されることが可能である。ＲＵＭの累積、発行、および／もしくは重み付け、または（セクタの独自の送信電力の修正を含む）干渉回避クレジットは、通常、欠点のあるセクタ（例えば、比較的低いパフォーマンス・メトリックを有するセクタ）が隣り合うセクタから発行されたＲＵＭによって過度に妨害されていることを緩和するために、または欠点のないセクタが過剰な数のＲＵＭを累積／発行するのを緩和するために、調整されることが可能である。
【００２８】
無線ＡＮは、逆方向リンク（ＲＬ）ＲＵＭと順方向リンク（ＦＬ）／ダウンリンク（ＤＬ）ＲＵＭの両方を利用することが可能である点を理解されたい。ＦＬ／ＤＬ  ＲＵＭは、無線ＡＭの基地局によって、干渉しているＡＴに送信されたＲＵＭである。以下で詳細に説明されるように、ＡＴは、ＦＬ  ＲＵＭを受信して、そのＲＵＭに従うかどうかを決定する。ＲＵＭが従われる場合、ＡＴは、ＲＬチャネル上の電力を低減して、発行している基地局（および、例えば、ＡＴの付近のその他の基地局）における干渉を低減することが可能である。逆に、ＲＬ  ＲＵＭは、無線ＡＮの１つまたは複数の隣り合う基地局に対して、（例えば、ＡＴに関連する、サービス提供しているセクタによって累積されたＲＵＭを利用している）ＡＴによって発行される。基地局は、ＲＬ  ＲＵＭに従うかどうかを決定して、ＲＬ  ＲＵＭが従われる場合、ＦＬ伝送電力を低減することが可能である。下で議論されるように、ＲＵＭ累積率もしくはＲＵＭ発行率の累積および／または調整は、ＤＬ  ＲＵＭおよびＦＬ  ＲＵＭのどちらか、あるいはそれらの両方に適用され得る。
【００２９】
移動体環境において、アクセス端末（ＡＴ）および基地局は、様々な要因に基づいて、様々な時点で送信電力を増大する。例えば、基地局は、基地局によって送信された信号がＡＴにおいて非常に低い電力を伴って受信されたことを示す信号をＡＴから受信することが可能である。これにより、基地局は、ＡＴとの通信を改善するために送信電力を増大することが可能である。さらに、デバイス伝送が受信機において低い信号対雑音比（ＳＮＲ）特性を有する場合、信号の送信電力が増大され得る。しかし、送信電力が増大することは、近傍のデバイスにおいて干渉をもたらす可能性がある。したがって、ＲＵＭは、そのデバイスの送信電力がその他の近傍デバイスにとって高すぎることを示すフィードバックをデバイスに提供する。
【００３０】
しかし、ＲＵＭは欠点を有する場合がある。例えば、単一のデバイスは、近傍のデバイスにあまりにも多くのＲＵＭを発行することによって、セクタ通信を独占する可能性がある。その他のデバイスが、複数の受信されたＲＵＭに基づいて、その送信電力を過剰に低減する場合、かかるデバイスの通信の品質は、損害を受ける可能性がある。したがって、デバイスに関するＲＵＭの累積および／または発行は、少数のデバイスが近傍のデバイスに関する伝送品質を低減しないように管理されなければならない。実質的に、公平性の原理は、無線ＡＮ内のデバイスに良好な通信全体を提供するために行使され得る。
【００３１】
本開示の一態様では、無線ＡＮのセクタが所与の時点で発行することが可能なＲＵＭの数は、そのセクタに関して累積されている、（例えば、そのセクタに関連する、いわば、ＲＵＭ「トークンバケット」内の）かかるＲＵＭの数に依存する。セクタがＲＵＭを累積する比率は、ＲＵＭ累積率と呼ばれる。（例えば、セクタ内の基地局または移動体デバイスに代わって）セクタがＲＵＭを発行するとき、そのセクタに関連する、累積されたＲＵＭはデクリメントされる。したがって、ＲＵＭ累積率は、セクタがＲＵＭを送り出す比率を、少なくとも一部左右し得る。
【００３２】
本開示の少なくとも１つの態様では、ＲＵＭの累積は、セクタごとに決定される。セクタがＲＵＭを累積する比率は、１つまたは複数の近傍のセクタの類似のパフォーマンス・メトリックと比較した、そのセクタのパフォーマンス・メトリックに基づき得る。ＲＵＭの累積は、セクタ・パフォーマンス・メトリックの比較に基づいて、確立、増大、および／または減少されることが可能である。本明細書で説明される、ＲＵＭ累積率を確立および／または調整することは、ＦＬ  ＲＵＭもしくＲＬ  ＲＵＭのどちらか、またはそれらの両方に適用することが可能である点を理解されたい。さらに、パフォーマンス・メトリックは、監視されたメトリックの最新の変更に基づいて、ＲＵＭ累積を調整／維持するために、経時的に監視されることが可能である。したがって、本開示は、移動体ＡＮの様々なセクタのパフォーマンスに基づいて、セクタ間の公平性を実装することを実現する。
【００３３】
少なくとも１つの態様では、セクタ・パフォーマンス・メトリックは、基地局同士の間のバックホール・ネットワーク上で収集されることが可能である。もう１つの態様では、これらのメトリックは、指定された基地局において収集されて、様々な基地局間で共有されることが可能であるか、または集中位置（例えば、無線アクセスネットワーク［ＲＡＮ］の集中型構成要素、様々な基地局のそれぞれに結合された移動体バックエンドネットワークの構成要素など）において管理されることが可能である。さらなる態様によれば、１つまたは複数のＡＴは、無線ＡＮ内の基地局からパフォーマンス・メトリックを収集して、収集されたメトリックを、ＡＴに関連する、サービス提供している基地局に転送することが可能である。例えば、ＡＴは、（例えば、かかるブロードキャスト伝送が、ＡＴにおいて適切なＳＮＲ特性を有するとき）、無線ＡＮの近傍の基地局のブロードキャスト伝送からパフォーマンス・メトリックを無線（ＯＴＡ）で復号することが可能である。次いで、ＡＴは、パフォーマンス・メトリック情報を、ＡＴに結合された、サービス提供している基地局に転送することが可能である。あるいは、いくつかの態様では、ＡＴは、ブロードキャスト伝送を、再送信された／転送された信号からパフォーマンス・メトリックを復号することが可能な、サービス提供している基地局に再送信および／または転送することが可能である。
【００３４】
１つまたは複数のその他の態様では、セクタＲＵＭ累積率は、集約セクタ・パフォーマンスに基づいて決定される。例えば、無線ＡＴの基地局は、（例えば、バックホール・ネットワーク上で）かかる基地局からかつ／または無線ＡＮの基地局によってサービス提供されるＡＴから隣り合う基地局のパフォーマンス・メトリック情報を収集することが可能である。収集された情報は、無線ＡＮの基地局のセットの集約パフォーマンス・メトリックを提供するために、基地局において（または、例えば、場合によっては、無線ＡＮの中央コントローラにおいて）集約されることが可能である。個々のセクタ（または、例えば、無線ＡＮのそれぞれのセクタ）のパフォーマンス・メトリックは、次いで、集約されたデータと比較した、その個々のセクタの欠点の程度を決定するために、集約データと比較されることが可能である。その欠点の程度は、あるとしても、セクタに関するＲＵＭ累積率を確立および／または更新するために利用され得る。例えば、ＲＵＭ累積率は、集約データと比較したセクタ・パフォーマンス・メトリックに基づいて、増大されること、減少されること、または維持されることが可能である。個々のセクタにおいて隣り合うセクタのデータを集約することによって、個々のセクタにおいて観測された、相対的な干渉の変化が確立され得る。
【００３５】
さらにその他の態様によれば、セクタがＲＵＭを発行する比率、またはセクタがＲＵＭをセクタ内のＡＴと関連付ける比率も同様に、集約パフォーマンス・メトリックに基づき得る。したがって、セクタの集約と比較して、セクタが不十分なメジアンデータ転送速度を有する場合、そのセクタのＲＵＭ累積率および／またはＲＵＭ発行率は増大され得る。後の時点で、セクタのメジアンデータ転送速度が集約セクタデータに対して改善する場合、累積率／発行率は、必要に応じて、維持されること、または低減されることが可能である。したがって、本開示は、セクタ・パフォーマンスに基づいて、ＲＵＭの制御された累積および／または発行を提供し、様々なセクタにおいてＲＵＭが累積される比率を増大／減少することによって、セクタ・パフォーマンスを調整するための機構をさらに提供する。
【００３６】
本開示で使用される場合、「構成要素」、「システム」、「モジュール」などの用語は、コンピュータ関係のエンティティ、すなわち、ハードウェア、ソフトウェア、実行中のソフトウェア、ファームウェア、ミドルウェア、マイクロコードおよび／または任意のそれらの組合せを指すことが意図される。例えば、モジュールは、プロセッサ上で実行しているプロセス、プロセッサ、オブジェクト、実行可能物、実行のスレッド、プログラム、デバイス、および／またはコンピュータであり得るが、これらに限定されない。１つまたは複数のモジュールは、プロセスおよび／もしくは実行のスレッドの中に在局してよく、モジュールは、１つの電子デバイス上に在局してよく、かつ／または２つ以上の電子デバイス同士の間で分散されてもよい。さらに、これらのモジュールは、様々なデータ構造を格納している、様々なコンピュータ可読媒体から実行することが可能である。これらのモジュールは、１つもしくは複数のデータ・パケット（例えば、ローカル・システム内、分散システム内のもう１つの構成要素と相互作用している、かつ／または信号によって、インターネットなどのネットワーク全域でその他のシステムと相互作用している１つの構成要素からのデータ）を有する信号に従ってなど、局所的プロセスおよび／あるいは遠隔プロセスによって通信することが可能である。加えて、当業者に理解されるように、本明細書で説明されるシステムの構成要素またはモジュールは、それに関して説明される、様々な態様、目標、利点などを達成することを円滑にする目的で、追加の構成要素／モジュール／システムによって再構成すること、かつ／または補完されることが可能であり、所与の図面で記載されるまさにその位置に限定されない。
【００３７】
さらに、本明細書において、アクセス端末ＡＴに関して、様々な態様が説明される。ＡＴは、システム、加入者ユニット、加入者局、移動局、移動体、移動体通信デバイス、移動体デバイス、遠隔局、遠隔端末、ユーザ端末（ＵＴ）、ユーザエージェント（ＵＡ）、ユーザデバイス、またはユーザ機器（ＵＥ）と呼ばれる場合もある。加入者局は、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルド・デバイス、または無線モデムもしくは処理デバイスとの無線通信を円滑にするための類似の機構に接続されたその他の処理デバイスであり得る。
【００３８】
１つまたは複数の例示的な実施形態では、説明される機能は、ハードウェア、ソフトウェア、ファームウェア、ミドルウェア、マイクロコード、または任意の適切なそれらの組合せの形で実装され得る。ソフトウェアの形で実装される場合、これらの機能は、コンピュータ可読媒体上の１つもしくは複数の命令またはコードの上に格納されること、あるいはそれらを介して送信されることが可能である。コンピュータ可読媒体は、ある場所から別の場所へのコンピュータ・プログラムの転送を円滑にする任意の媒体を含めて、コンピュータ記憶媒体および通信媒体の両方を含む。記憶媒体は、コンピュータによってアクセスされ得る任意の物理媒体であってよい。限定ではなく、例として、かかるコンピュータ記憶媒体は、ＲＡＭ、ＲＯＭ、ＥＥＰＲＯＭ、ＣＤ−ＲＯＭもしくはその他の光ディスク記憶装置、磁気ディスク記憶装置もしくはその他の磁気記憶装置、スマートカード、およびフラッシュ・メモリ・デバイス（例えば、カード、スティック、キードライブ・・・）、あるいは命令もしくはデータ構造の形で所望されるプログラムコードを運ぶためまたは格納するために使用されることが可能であり、かつコンピュータによってアクセスされることが可能な、任意のその他の媒体を備え得る。加えて、任意の接続は、正確には、コンピュータ可読媒体と呼ばれる。例えば、ソフトウェアが、同軸ケーブル、光ファイバケーブル、より対線、ディジタル加入者線（ＤＳＬ）、または赤外線、無線、およびマイクロ波などの無線技術を使用して、ウェブサイト、サーバ、もしくはその他の遠隔ソースから送信される場合、同軸ケーブル、光ファイバケーブル、より対線、ＤＳＬ、または、赤外線、無線、およびマイクロ波などの無線技術は、媒体の定義の中に含まれる。ディスク（Ｄｉｓｋ）およびディスク（ｄｉｓｃ）は、本明細書で使用される場合、コンパクトディスク（ＣＤ）、レーザディスク、光ディスク、ディジタル多目的ディスク（ＤＶＤ）、フロッピー（登録商標）ディスク、およびブルーレイ（登録商標）ディスクを含み、この場合、ディスク（ｄｉｓｋ）は、通常、データを磁気的に複製し、一方、ディスク（ｄｉｓｃ）は、レーザを用いてデータを光学的に複製する。上記の組合せも、コンピュータ可読媒体の範囲内に含まれるべきである。
【００３９】
ハードウェア実装形態の場合、本明細書で開示される態様に関して説明される、処理ユニットの様々な例示的な論理、論理ブロック、モジュール、および回路は、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理素子（ＰＬＤ）、フィールド・プログラマブル・ゲートアレー（ＦＰＧＡ）、ディスクリート・ゲートもしくはトランジスタ・ロジック、ディスクリート・ハードウェア構成要素、汎用プロセッサ、コントローラ、マイクロ・コントローラ、マイクロ・プロセッサ、本明細書で説明される機能を実行するように設計されたその他の電子ユニット、またはそれらの組合せの中で実装あるいは実行され得る。汎用プロセッサは、マイクロ・プロセッサであってよいが、代替では、このプロセッサは、任意の通常のプロセッサ、コントローラ、マイクロ・コントローラ、または状態機械であり得る。プロセッサは、コンピューティングデバイスの組合せ、例えば、ＤＳＰとマイクロ・プロセッサの組合せ、複数のマイクロ・プロセッサ、ＤＳＰコアと共に、１つもしくは複数のマイクロ・プロセッサ、または任意のその他の適切な構成として実装されることも可能である。加えて、少なくとも１つのプロセッサは、本明細書で説明されるステップおよび／または動作のうちの１つもしくは複数を実行するように動作可能な１つもしくは複数のモジュールを備え得る。
【００４０】
さらに、本明細書で説明される様々な態様または特徴は、標準のプログラミング技法および／もしくはエンジニアリング技法を使用して、方法、装置、または製品として実装されることが可能である。さらに、本明細書で開示される態様に関して説明される方法またはアルゴリズムのステップおよび／もしくは動作は、ハードウェアの形で直接的に、プロセッサによって実行されたソフトウェア・モジュールの形で、またはこれら２つの組合せの形で実施されることが可能である。加えて、いくつかの態様では、方法またはアルゴリズムのステップおよび／もしくは動作は、コンピュータ・プログラム製品内に組み込まれることが可能な機械可読媒体上ならびに／あるいはコンピュータ可読媒体上のコードおよび／または命令の１つもしくは任意の組合せまたはセットとして存在し得る。本明細書で使用される場合、「製品」という用語は、任意のコンピュータ可読デバイスまたはコンピュータ可読媒体からアクセス可能なコンピュータ・プログラムを包括することが意図される。
【００４１】
加えて、「例示的な」という用語は、本明細書において、例、事例、または例示として機能することを意味するために使用される。本明細書において「例示的な」として説明される任意の態様または設計は、その他の態様もしくは設計に勝って好ましいまたは有利であると解釈されるとは限らない。むしろ、例示的なという用語の使用は、概念を具体的な形で提示することが意図される。本出願で使用される場合、「または」という用語は、排他的な「または」ではなく、むしろ、包括的な「または」を意味することが意図される。すなわち、特に具体的にその他の指定がない限り、または文脈から明らかでない場合、「ＸはＡまたはＢを用いる」は、当然の包括的な置換のいずれかを意味することが意図される。すなわち、ＸはＡを用い、ＸはＢを用い、またはＸはＡおよびＢの両方を用いる場合、「ＸはＡまたはＢを用いる」は、前述の事例のいずれかの下で満たされる。加えて、本出願および添付の特許請求の範囲で使用される場合、冠詞「ａ」および「ａｎ」は、特に具体的にその他の指定がない限り、または文脈から単数形に関することが明らかでない場合、概して「１つまたは複数の」を意味すると解釈されるべきである。
【００４２】
本明細書で使用される場合、「推論する」または「推論」という用語は、一般に、事象および／もしくはデータを介して捕捉された観測のセットから、システム、環境、ならびに／またはユーザの状態について推理あるいは推論するプロセスを指す。推論は、特定の文脈もしくは動作を識別するために用いられることが可能であるか、または、例えば、状態に関する確率分布を生成することが可能である。この推論は、確率的、すなわち、データおよび事象の考慮事項に基づく、当該状態に関する確率分布の演算であり得る。推論は、事象および／またはデータのセットから、よりハイレベルの事象を構成するために用いられる技法を指す場合もある。かかる推論は、当該事象が密接な時間的近接性において相互に関係してもしなくても、かつ当該事象ならびに当該データが、１つの事象およびデータ送信装置から生じようと、複数の事象およびデータ送信装置から生じようと、結果として、観測された事象および／もしくは格納された事象データのセットから、新しい事象または新しい動作の構成をもたらす。
【００４３】
次に、図を参照すると、図１は、１つまたは複数の態様に関して利用され得るような、複数の基地局１１０と複数の端末１２０とを有する無線通信システム１００を例示する。基地局（１１０）は、一般に、端末と通信し、アクセスポイント、ノードＢ、またはいくつかのその他の用語で呼ばれる場合もある固定局である。それぞれの基地局１１０は、図１において、１０２ａ、１０２ｂ、および１０２ｃとラベル付けされた、３つの地理的領域として例示される、特定の地理的領域または受信可能範囲領域に通信受信可能範囲を提供する。「セル」という用語は、その用語が使用される文脈に応じて、基地局および／またはその受信可能範囲領域を指す場合がある。システム要領を改善するために、基地局の地理的領域／受信可能範囲領域は、複数のより小さな領域（例えば、図１のセル１０２ａによる３つのより小さな領域）１０４ａ、１０４ｂ、および１０４ｃに区分化されることが可能である。それぞれのより小さな領域（１０４ａ、１０４ｂ、および１０４ｃ）は、それぞれのベース・トランシーバ・サブシステム（ＢＴＳ）によってサービス提供され得る。「セクタ」という用語は、その用語が使用される文脈に応じて、ＢＴＳおよび／またはその受信可能範囲領域を指す場合がある。セクタ化されたセルの場合、そのセルのすべてのセクタに関するＢＴＳは、通常、そのセルに関する基地局内の同じ場所に位置する。本明細書で説明されるＲＵＭ累積技法／ＲＵＭ利用技法は、セクタ化されたセルを有するシステム、ならびに、複数のセクタ化されていないセル（例えば、より大きな地理的領域の複数のセル）を有するシステムに関して使用されることが可能である。説明を簡単にするために、以下の説明では、その他の指定がない限り、「基地局」という用語は、一般に、セクタにサービス提供する固定局、ならびにセルにサービス提供する固定局に関して使用される。加えて、「無線ＡＮ」という用語は、一般に、複数のセクタを備えた地理的セル、または複数のセルを備えた地理的領域を指すために使用される。
【００４４】
端末１２０は、通常、システムの全体にわたって分散され、それぞれの端末１２０は、固定されてよく、または移動可能であってもよい。端末１２０は、上で議論されたように、移動局、ユーザ機器、ユーザデバイス、またはいくつかのその他の用語で呼ばれる場合もある。端末１２０は、無線デバイス、セルラ電話、携帯情報端末（ＰＤＡ）、無線モデムカードなどであり得る。それぞれの端末１２０は、所与の時点で、ダウンリンク上およびアップリンク上でゼロ、１つ、または複数の基地局１１０と通信することが可能である。ダウンリンク（すなわち、順方向リンク）は、基地局から端末への通信リンクを指し、アップリンク（すなわち、逆方向リンク）は、端末から基地局への通信リンクを指す。本明細書で使用される場合、端末１２０がアクティブな通信またはアクティブな登録を維持する基地局は、「サービス提供している基地局」と呼ばれる。
【００４５】
集中型アーキテクチャの場合、システム・コントローラ１３０は、基地局１１０に結合して、基地局１１０に調整および制御を提供する。例えば、本明細書で議論されるように、システム・コントローラは、複数の基地局１１０に関するパフォーマンス・メトリック・データを取得して、データを集約し、集約データに基づいて、ＲＵＭ累積情報を提供することを円滑にすることが可能である。分散されたアーキテクチャの場合、基地局１１０は、必要に応じて、（例えば、図示されないバックホール・ネットワークを用いて）互いと通信することが可能である。順方向リンク上のデータ伝送は、多くの場合、順方向リンクおよび／または通信システムによってサポートされ得る最大データ転送速度で、または最大データ転送速度に近い速度で、１つのアクセスポイントから１つのアクセス端末に対して発生する。順方向リンクの追加のチャネル（例えば、制御チャネル）は、多元接続ポイントから１つのアクセス端末に送信されることが可能である。逆方向リンクデータ通信は、１つのアクセス端末から１つまたは複数のアクセスポイントに対して発生し得る。
【００４６】
図２は、様々な態様による、特別な、または計画されていない／計画途中の無線通信環境２００の例である。システム２００は、無線通信信号を受信すること、互いにかつ／または１つもしくは複数の移動体デバイス２０４に送信すること、繰り返すことなどを行う１つもしくは複数の基地局２０２を、１つもしくは複数のセル内および／またはセクタ内に備え得る。例示されるように、それぞれの基地局２０２は、２０６ａ、２０６ｂ、２０６ｃ、および２０６ｄとラベル付けされた、４つ地理的領域として例示された、特定の地理的領域に通信受信可能範囲を提供することが可能である。それぞれの基地局２０２は、当業者に理解されるように、そのそれぞれが、信号の送受信に関連する複数の構成要素（例えば、プロセッサ、変調器、多重化装置、復調器、多重化復調装置、アンテナなど）を備えた送信機チェーンおよび受信機チェーンを備え得る。移動体デバイス２０４は、例えば、セルラ電話、スマートフォン、ラップトップ、ハンドヘルド通信デバイス、ハンドヘルド・コンピューティング・デバイス、衛星無線、全地球測位システム、ＰＤＡ、および／または無線ネットワーク２００を介して通信するための任意のその他の適切なデバイスであり得る。システム２００は、本明細書に記載されるように、無線通信環境（２００）を提供することを円滑にするために、本明細書で説明される様々な態様に関して用いられることが可能である。
【００４７】
図３は、移動体ＡＮ３０６の様々なセクタに関して、パフォーマンス・ベースのＲＵＭ累積を提供する例示的なシステム３００のブロック図を示す。ＲＵＭ累積装置３０２は、基地局３０６Ａ、３０６Ｂと結合されることが可能であり、かかる基地局３０６Ａ、３０６Ｂと結合されたセクタおよびデバイス（３０４）に関するＲＵＭの管理を実現する。セクタ（３０６Ａ、３０６Ｂ）の１つまたは複数のパフォーマンス・メトリックが決定されることが可能であり、それぞれのセクタに関するＲＵＭ累積は、少なくとも１つのその他のセクタとの、そのセクタに関するメトリックの比較に基づき得る。したがって、ＲＵＭ累積は、移動体ＡＮ３０６のセクタ間の公平性を提供するために管理され得る。
【００４８】
ＲＵＭ累積装置３０２は、移動体ＡＮ３０６Ａのセクタ、および少なくとも１つの隣り合うセクタ３０６Ｂに関するパフォーマンス・メトリックを取得するデータ・コレクタ３０８を備え得る。このパフォーマンス・メトリックは、無線通信に関連する様々な適切なサービスの品質パラメータを備え得る。例示的なパフォーマンス・メトリックは、メジアンデータ転送速度、平均データ転送速度、干渉レベル、ＳＮＲ、メジアンビットレート／平均ビットレートに対する、保証されたビットレートの比率、達成されたパケット遅延、目標パケット遅延もしくは保証されたパケット遅延と比較した、達成されたパケット遅延など、またはそれらの組合せを含み得る。セクタ（３０６Ａ、３０６Ｂ）に関する（１つまたは複数の）パフォーマンス・メトリックは、計算されて、セクタ（３０６Ａ、３０６Ｂ）にサービス提供している基地局３０６Ａ、３０６Ｂから、またはかかる基地局３０６Ａ、３０６Ｂと通信している移動体デバイス３０４から取得されることが可能である。（１つまたは複数の）パフォーマンス・メトリックのデータは、ＲＵＭ累計装置を基地局３０６Ａ、３０６Ｂと結合し、かつ／または無線リンクを移動体デバイス３０４と結合している通信リンクを経由して、データ・コレクタ３０８に転送されることが可能である。
【００４９】
ＲＵＭ累積装置３０４は、セクタ（３０６Ａ、３０６Ｂ）内のデバイス（３０４）がＲＵＭを累積する比率を確立する管理モジュール３１０をさらに備え得る。（１つまたは複数の）確立されたＲＵＭ累積率は、少なくとも１つの追加のセクタ（例えば、３０６Ｂ）に関する類似のパフォーマンス・メトリックと比較した、特定のセクタ（例えば、３０６Ａ）に関するパフォーマンス・メトリックの比較、または複数のセクタから集約されたパフォーマンス・メトリック・データに基づき得る。より特定の例として、基地局３０６Ａによってサービス提供されるセクタＡ（３０６Ａ）に関するメジアンデータ転送速度は、データ・コレクタ３０８に転送され得る。さらに、隣り合う基地局３０６Ｂによってサービス提供されるセクタＢ（３０６Ｂ）に関するメジアンデータ転送速度は、データ・コレクタ３０８に転送され得る。セクタＡおよび関係するデバイス（３０４）に関するＲＵＭ累積率は、セクタＢのメジアンデータ転送速度と比較した、セクタＡのメジアンデータ転送速度の比較に少なくとも一部基づき得る。いくつかの態様によれば、ＲＵＭ累積率は、例えば、周期的期間で決定された、別のそのような比較に基づいて、それぞれのセクタ（３０６Ａ、３０６Ｂ）の（１つもしくは複数の）パフォーマンス・メトリック内でしきい値の変更が検出された後でなど、またはそれらの組合せで更新されることが可能である。
【００５０】
データ・コレクタ３０８によって収集されたデータは、（例えば、ディスク・ドライブ、光ディスク、フラッシュメモリ、ランダムアクセスメモリなど、任意の適切な形式の電子記憶媒体および／または磁気記憶媒体を備え得る）メモリ３１２内に格納されることが可能である。さらに、管理モジュール３１０によって実施されたパフォーマンス・メトリック比較の結果は、参照のためにメモリ３１２内に格納され得る。例えば、（１つまたは複数の）パフォーマンス・メトリックの変更に基づいて決定されたＲＵＭ累積率を更新するかどうかを決定するとき、それらの結果または（１つもしくは複数の）先のＲＵＭ累積率は、メモリ３１２から取得されることが可能である。ＲＵＭ累積装置３０２は、ＲＵＭ累積装置３０２のプロセスに関して、メモリ３１２内に格納されたデータに関する命令（例えば、メモリ内のデータ収集およびデータ格納、メトリックとセクタとの関係の解析、１つのセクタと１つまたは複数のその他のセクタの比較メトリック、かかる比較に基づくＲＵＭ累積率の決定、ＲＵＭ累積率の更新など）を実行するように構成されたプロセッサ３１４をさらに備える。
【００５１】
任意の数の基地局３０６Ａ、３０６Ｂが、システム３００の無線アクセスネットワーク（ＲＡＮ）３０６内に含まれ得る点を理解されたい。基地局３０６Ａ、３０６Ｂは、セルラトランシーバ、無線忠実度（ＷｉＦｉ）送信機、マイクロ波周波数送信機（例えば、ワールド・ワイド・インターオペラビリティ・フォー・マイクロウェーブ・アクセス（worldwide interoperability for microwave access）［ＷｉＭＡＸ］）などを含めて、共通の無線移動体ＲＡＮサイト３０６に結合された、様々な無線送信機を含み得る。したがって、様々なセルラ技術、移動体通信技術、および類似のアクセス技術は、３０６の移動体ＲＡＮサイト内に含まれることが可能である。
【００５２】
図４は、本開示の１つまたは複数の態様による、例示的なＲＵＭ管理装置４０２のブロック図を示す。装置４０２は、ＲＡＮの集中型コントローラ（例えば、上の図１のシステム・コントローラ１３０を参照されたい）と結合されることが可能であり、あるいはＲＡＮの１つもしくは複数の基地局（例えば、上の図３の基地局３０６Ａ、３０６Ｂ、または下の図５のバックホール・ネットワーク５０６）の全域で分散されることが可能である。装置４０２は、かかる基地局によって提供された無線通信のパフォーマンス・メトリックを取得して、データを集約し、集約メトリック・データと比較したセクタ・メトリックに基づいて、セクタＲＵＭ累積率を決定および更新することが可能である。したがって、システム４００は、望まれる通信メトリックを決定して、変更している通信メトリック・レベルに基づいて、ＲＡＮの動作全体を最適化することが可能な、公平性ベースのＲＵＭ累積技法を提供する。
【００５３】
ＲＵＭ管理装置４０２は、ＲＡＮの構成要素（例えば、基地局）を用いて、通信インターフェース４０４を経由してデータを受信する累積装置４０６を備え得る。累積装置４０６は、ＲＡＮのセクタに関するパフォーマンス・メトリック・データを取得するデータ・コレクタ４１０と、少なくとも１つのその他のセクタのパフォーマンス・メトリックとのセクタ・パフォーマンス・メトリックの比較に基づいて、ＲＡＮのセクタに関するＲＵＭ累積率を決定する管理モジュール４１２とを備える。したがって、装置４０２は、無線通信に関して望まれるメトリックに基づいて、公平性ベースのセクタＲＵＭ累積率を提供することが可能である。したがって、不十分なメトリックを示しているセクタには、より高いＲＵＭ累積率が与えられることが可能であり、結果として、不十分なセクタのデバイスにはより多くのＲＵＭが発行される。したがって、比較的強いメトリックを示しているセクタには、より低いＲＵＭ累積率が与えられることが可能であり、結果として、強いセクタのデバイスにはより少ないＲＵＭが発行される。したがって、より多くのＲＵＭを有することによって、不十分なメトリックセクタは、隣り合う干渉している送信機の伝送電力をより容易に低減することが可能である。同様に、強いメトリックセクタは、隣り合う送信機の伝送電力を低減するためのより少ない能力を有する。かかる構成は、かなりの利益を提供する。まず、干渉している伝送の電力を低減する必要が最もあるデバイスには、それを行うために、より大きな機会が与えられる。さらに、干渉している伝送の電力を低減する必要がわずかなデバイスは、それを行うためのより少ない機会を有する。不十分なセクタが強いセクタに隣接する場合、不十分なセクタは、強いセクタに対して発行されたＲＵＭによって、その独自の信号電力をかなり低減することを避けると同時に、隣り合うセクタの伝送電力を低減することが可能であることは重要である。
【００５４】
ＲＵＭ管理装置４０２は、ＲＵＭ制御装置４０８をさらに備え得る。制御装置４０８は、デバイスが、セクタ間パフォーマンス・メトリックに基づいて、累積されたＲＵＭを発行するための比率を確立することが可能である。さらに、制御装置４０８は、変化しているセクタ・パフォーマンス・メトリックに基づいて、ＲＵＭ累積率を管理することが可能であり、累積率は、隣り合うセクタのメトリックと比較した、セクタの（１つまたは複数の）パフォーマンス・メトリック内の変化している格差に基づいて更新されることが可能である。
【００５５】
制御装置４０８は、セクタのデバイスが累積されたＲＵＭを発行することが可能な比率を確立する実装モジュール４２０を備え得る。この発行率は、ＲＵＭ累積装置４０６によって決定された累積率に加えて決定されることが可能である。したがって、デバイスは、いくつかのＲＵＭを経時的に累積することが可能であるが、それらのＲＵＭをどれだけ早く利用することができるかという点で限定される場合がある。したがって、デバイスに関するパフォーマンス・メトリックが突然劇的に悪化する場合、近傍のデバイスのパフォーマンスをかなり劣化させる可能性がある、多くの累積されたＲＵＭを短い期間に発行するためのデバイスの能力は、少なくとも、そのデバイスにサービス提供しているセクタに関して累積されたＲＵＭの数によって変調されることが可能である。少なくとも１つのその他の態様では、ＲＵＭ発行は、最大ＲＵＭ発行率によってさらに限定される可能性がある。さらにその他の態様では、ＲＵＭ発行率は、セクタの欠点の程度に依存し得る。少なくとも１つの態様では、ＲＵＭ発行は、前述の機構または類似の機構の組合せによって変調されることが可能である。
【００５６】
上で議論されたように、ＲＵＭ発行率は、所定の比率であってよく、かつ／または（例えば、その他のセクタと比較した、セクタの欠点の程度を確立する）累積率を確立するために、管理モジュール４１２によって決定されたものに類似するパフォーマンス・メトリック比較に基づいて確立されたセクタ特定の比率であってもよい。１つまたは複数の態様では、この発行率は、デバイスにサービス提供しているセクタに関する、（例えば、単位重みのＲＵＭの）関連するＲＵＭ累積率によって変調され、（またはその他の態様では、変調は重み付けされたＲＵＭの重みを含み得る）。かかる態様では、実装モジュール４２０は、オプションで、ＲＵＭ累積率、ＲＵＭ発行率、パフォーマンス・メトリックの比較、セクタの欠点、またはこれらの要因および／もしくは類似の要因の組合せに基づいて、セクタ内の端末がＲＵＭを送るかどうかを決定することが可能である。
【００５７】
制御装置４０８は、ＲＡＮのセクタのＲＵＭ累積率を更新することが可能な優先順位調整モジュール４１８をさらに備え得る。比率更新は、１つまたは複数の隣り合うセクタと比較した、かかるセクタの現在のパフォーマンス・メトリック比較に少なくとも一部基づき得る。以下の例は、ＲＵＭ累積率が決定され得る一態様を例示するために提供されるが、限定的であると解釈されるべきではない。むしろ、当業者によって知られている、または本明細書で提供される文脈によって当業者に知らされる、ＲＡＮの複数のセクタのパフォーマンス・メトリックに基づいて、ＲＵＭ累積率を更新するためのその他の機構は、本開示の一部として本明細書に含まれる。
【００５８】
以下の例のために、以下の数量は次のように画定される。
【数１】
0005474832.tif 000002
【数２】
0005474832.tif 000003
【数３】
0005474832.tif 000004
【００５９】
ＲＵＭ比の適応時期（adaptation epoch）（ｋ）（例えば、その終わりに、優先順位調整モジュール４１８が更新されたＲＵＭ率を決定する期間）の終わりに、セクタは、時期（ｋ＋１）に関するｒｉを更新すること（または、例えば、適切な場合、ｒｉを実質的に変更せずに残すこと）が可能である。更新されたｒｉは、メモリ４１６内に格納されて、時期（ｋ＋１）の間、プロセッサ４１４によって、修正された比率でＲＵＭを生成するために利用されることが可能である。ＲＵＭ累積率適応は、少なくともいくつかの実施形態では、セクタｉを含めて、１つまたはすべてのその他のセクタｊの集約パフォーマンス・データと比較した、セクタのパフォーマンスの比較を利用する公平性基準に基づき得る。以下のアルゴリズムは、セクタ間の公平性に基づいて、ｒｉを更新するための一機構を提供する。
【数４】
0005474832.tif 000005
【数５】
0005474832.tif 000006
【００６０】
したがって、セクタのメジアン・パフォーマンス・メトリック（例えば、データ転送速度）ｍｉ（ｋ）が、複数のセクタ（例えば、セクタｉを含むすべてのセクタｊ）のメジアン・パフォーマンス・メトリックＭｉ（ｋ）より少ない場合、セクタｉのＲＵＭ累積率ｒｉは、正の量だけ増大され得る。逆に、セクタｉのメジアン・パフォーマンス・メトリックが、複数のセクタのメジアン・パフォーマンス・メトリック以下である場合、セクタｉのＲＵＭ累積率は、正の量だけ低減され得る。上記に加えて、ＲＵＭ累積率は、最大累積率および／または最小累積率によって限定され得る。最大率は、欠点のあるセクタが隣り合うセクタを過度に劣化することを防ぐために決定され得る。他方で、最小率は、セクタが全体として、隣り合うセクタに関して、欠点がないとしても、セクタが、過度の干渉を経験している、より少ないユーザにサービス提供することを可能にする。さらに、最小累積率および最大累積率は、本明細書で説明されるように、隣り合うセクタと比較した、セクタの欠点の程度に基づいて確立され得る。
【００６１】
本開示の１つまたは複数の追加の態様によれば、優先順位調整モジュール４１８は、一定量だけ、または可変量だけ、セクタのＲＵＭ累積率を更新することが可能である。一定量は、移動体ＲＡＮサイトの様々な無線特性（例えば、干渉、マルチパス散乱）に基づいて予め決定されることが可能である。無線特性は、様々な時点で更新されて、その一定量を修正するために利用されることが可能である点に留意されたい。可変量は、時間の点で、特定の時期に近い、１つもしくは複数の時期の間に存在する様々な要因（例えば、時期ｋの間の要因の状態が用いられることが可能であり、時期ｋおよび／または１つもしくは複数の先の時期ｋ−２、ｋ−１の間の、集約された要因の状態など）に基づき得る。様々な要因は、セクタまたは１つもしくは複数の隣り合うセクタのパフォーマンス・メトリック、一定量に関して、上で議論された、様々な無線特性、あるいはそれらの組合せまたは類似の組合せを含み得る。したがって、ＲＵＭ累積率は、変化する量だけ調整されることが可能である。例として、セクタがその隣り合うセクタよりも、かなり不十分である場合、対応するＲＵＭ累積率は比較的大量に増大させることができる。
【００６２】
１つまたは複数のその他の態様によれば、ＲＵＭ管理装置４０２は、優先順位モジュール４２２と、要求パーサ４２４とをさらに備え得る。優先順位モジュール４２２は、セクタ内のデバイスによって発行されたＲＵＭの重みを確立することが可能である。この重みは、そのセクタの現在のＲＵＭ累積率に少なくとも一部基づき得る。この重みは、（例えば、受信送信機に関連するセクタの（１つまたは複数の）パフォーマンス・メトリックに基づいて）ＲＵＭが従われるべきか、または無視されるべきかを決定するために、受信送信機によって利用されることが可能である。ＲＵＭ要求パーサ４２４は、特定の送信機（例えば、基地局、ＡＴ）によって受信されたＲＵＭの優先順位を決定するために、ＲＵＭ累積率を用いることが可能である。ＲＵＭの優先順位は、上で議論されたＲＵＭ重みに類似した、受信送信機のＲＵＭ累積率に少なくとも一部基づき得る。したがって、ＲＵＭ要求パーサ４２４は、優先順位に基づいて、ＲＵＭが受信送信機によって従われるべきか、または無視されるべきかを決定することが可能である。
【００６３】
図５は、本明細書で開示される態様による、移動体ＡＮにＲＵＭ管理を提供するシステム５００のブロック図を示す。システム５００は、ＲＡＮの基地局５０１Ａ、５０６Ｂ、５０６Ｃ、５０６Ｄと結合された移動体デバイス５０２を備え得る。さらに、これらの基地局は、それによって、基地局がデータを交換することが可能なバックホール・ネットワーク５０６に結合される。ＲＵＭ累積装置５０８は、バックホール・ネットワークと結合される。一態様では、ＲＡＮの様々なセクタに関するパフォーマンス・メトリック・データが決定されて、バックホール・ネットワーク５０６を経由して、基地局５０６Ａ、５０６Ｂ、５０６Ｃ、５０６Ｄの間で共有される。もう１つの態様では、様々なセクタに関するパフォーマンス・メトリック・データは、基地局５０６Ａ、５０６Ｂ、５０６Ｃ、５０６ＤからＲＵＭ累積装置５０８にアップロードされることが可能である。さらにその他の態様によれば、パフォーマンス・メトリックは、セクタ内の移動体デバイス５０２において受信されたＯＴＡメッセージから決定され得る。移動体デバイスは、かかるメッセージのパフォーマンス・メトリックを決定するために、ＯＴＡメッセージを解析することが可能である。次いで、かかるメトリックは、ＲＡＮおよび基地局５０６Ａ、５０６Ｂ、５０６Ｃ、５０６Ｄに提供され、かつ／またはかかる基地局５０６Ａ、５０６Ｂ、５０６Ｃ、５０６Ｄによって、ＲＵＭ累積装置５０８に提供され得る。
【００６４】
ＲＵＭ累積装置５０８は、ＲＡＮのセクタ（５０６Ａ、５０６Ｂ、５０６Ｃ、５０６Ｄ）に関するＲＵＭ累積率を決定して、かかるセクタのデバイスによる利用のために、ＲＵＭをそれらのセクタに配信することが可能である。もう１つの態様では、それぞれのセクタに関するＲＵＭ累積率は、かかるセクタに関連する基地局５０６Ａ、５０６Ｂ、５０６Ｃ、５０６Ｄによって決定され得る。累積されたＲＵＭは、累積されると、移動体デバイス５０２に配信されることが可能である。
【００６５】
移動体デバイス５０２と結合されたＲＵＭ管理モジュール５０４は、ＲＵＭが近傍のセクタ内のその他のデバイス（５０６Ａ、５０６Ｂ、５０６Ｃ、５０６Ｄ）に発行される比率を変調することが可能である。移動体デバイス５０２に関する発行率は、デバイス５０２が累積されたＲＵＭをどれだけ頻繁に送ることができるかを決定することが可能である。発行率は、上で説明されたように決定された、セクタ内の無線伝送のパフォーマンス・メトリックに基づいて決定され得る。さらに、ＲＵＭ累積率および／またはＲＵＭ発行率は、本明細書で説明されるメトリックの変更に基づいて更新され得る。したがって、システム５００は、１つまたは複数の隣り合うセクタと比較した、セクタのパフォーマンス・メトリックを利用して、ＲＵＭを累積して、ＲＵＭを発行するための公平性ベースの機構を提供する。
【００６６】
図６は、ＲＡＮのセクタのパフォーマンス・メトリックに基づいて、ＲＵＭ累積管理を提供するサンプル基地局６０２を備えたシステム６００のブロック図を例示する。本開示の少なくとも１つの態様では、基地局６０２は、ＲＡＮのセクタに特定の無線伝送に基づいて、パフォーマンス・メトリックを決定することが可能である。さらに、基地局６０２は、ネットワーク（例えば、図１および２を参照されたい）によってサービス提供される地理的領域内の移動体デバイス６０４に関する移動体ネットワークにページング機能を提供することが可能である。基地局６０２は、目標移動体デバイスによって応答が受信されるまで、ページング終了命令が移動体ネットワークから受信されるまで、もしくは基地局６０２によって維持される失効タイマが失効するまで、またはそれらの組合せまで、ページング信号をブロードキャストし続けることが可能である。特定の態様によれば、基地局６０２は、基地局６０２によってサービス提供されるトラッキング領域／位置領域に関して、移動体デバイスに関する登録カウンタを維持することが可能である。さらに、登録カウンタは、移動体デバイスがページング事象に応答し損なったとしても、維持されることが可能である。したがって、システム６００は、その他のシステム（図示せず）から独立して、ページングデバイス６０４によって、システム間移動度を円滑にして、（例えば、移動体デバイスがその他のシステムのページに応答する場合）ページング応答が失敗したにもかかわらず、デバイス登録を維持する。
【００６７】
基地局６０２（例えば、アクセスポイント、・・・）は、複数の受信アンテナ６０６を介して、１つまたは複数の移動体デバイス６０４から（１つまたは複数の）信号を受信する受信機６１０と、（１つまたは複数の）送信アンテナ６０８を介して、１つまたは複数の移動体デバイス６０４に信号を送信する送信機６３２とを備え得る。受信機６１０は、受信アンテナ６０６から情報を受信することが可能であり、（１つまたは複数の）移動体デバイス６０４によって送信されたアップリンクデータを受信する信号受信装置（図示せず）をさらに備え得る。加えて、受信機６１０は、受信された情報を復調する復調器６１２と動作可能に関連付けられる。復調された記号は、伝送のために記号を変調器６３０にも提供するプロセッサ６１４によって解析される。プロセッサ６１４は、基地局６０２によって提供された機能に関する情報を格納するメモリ６１６に結合される。一例では、格納された情報は、移動体デバイス６０４を有する無線通信のパフォーマンス・メトリックを取得および／または決定するためのプロトコルを備え得る。詳細には、格納された情報は、（１つまたは複数の）隣り合う基地局に関連する類似のメトリックと比較したパフォーマンス・メトリックに応じて、かかるデバイス６０４に関するＲＵＭ累積率ならびにＲＵＭ発行率を決定または更新するための規則を備え得る。
【００６８】
プロセッサ６１４は、基地局６０２、および少なくとも１つの隣り合う基地局（図示せず）に関するパフォーマンス・メトリック情報を取得することが可能なデータ・コレクタにさらに結合される。データ・コレクタ６１８において収集された情報は、基地局６０２のその他の構成要素（６１２、６１４、６２０、６２２、６２４、６２６、６２８、６３０）によるアクセスのためにメモリ６１６内に格納されることが可能である。管理モジュール６２０は、基地局６０２によってサービス提供される（かつ、例えば、基地局６０２と通信可能に結合される）セクタ内の移動体デバイス６０４がＲＵＭを累積する比率を確立することが可能である。この累積率は、本明細書で説明されるように、少なくとも１つのその他の隣り合う基地局と比較した、基地局６０２に関連するパフォーマンス・メトリックの比較に基づき得る。累積率は、基地局６０２のその他の構成要素（６１２、６１４、６２０、６２２、６２４、６２６、６２８、６３０）によって参照されるために、メモリ６１６内に格納され得る。
【００６９】
優先順位調整モジュール６２２は、後続のパフォーマンス・メトリック基地局６０２通信に基づいてＲＵＭ累積率を更新することが可能である。したがって、基地局６０２に結合されたデバイス６０４に関するメジアンデータ転送速度が、隣り合うセクタに関するメジアンデータ転送速度と比較して低減する場合、優先順位調整モジュール６０２は、かかるデバイス６０４に関するＲＵＭ累積率を増大することが可能である。前述の例は、累積率を更新するための単なる一機構であり、本開示は、かかる例に限定されると解釈されるべきでない点を理解されたい。むしろ、本明細書で提供されるその他の例、当業者に知られている例、または本明細書で提供される文脈から当業者に知らされる例は、本開示の中に組み込まれる。
【００７０】
前述の説明に加えて、実装モジュール６２４は、デバイス６０４が累積されたＲＵＭを送ることまたは発行することが可能な比率を決定することが可能である。この発行率は、セクタのＲＵＭ累積率、セクタ内で動作しているデバイス６０４の数、１つまたは複数のセクタ・パフォーマンス・メトリック、またはそれらの組合せもしくは類似の組合せを含めて、様々な要因に基づいて決定され得る。いくつかの態様によれば、実装モジュール６２４は、（例えば、変調がＲＵＭの重みを組み込むことが可能な場合、またはＲＵＭが単位重みのものであり得る場合）セクタがＲＵＭを累積する比率を用いて、デバイス６０４がＲＵＭを発行する比率を変調することが可能である。少なくともその他の態様では、実装モジュール６２４は、ＲＵＭ累積率および／またはＲＵＭ発行率に少なくとも一部基づいて、基地局６０２によってサービス提供されるセクタ内の端末が、ＲＵＭを送るかどうかを決定することが可能である。
【００７１】
基地局６０２は、隣り合うセクタから移動体デバイス６０４によって受信されたＲＵＭの優先順位を決定するＲＵＭ要求パーサ６２６をさらに備え得る。この優先順位は、ＲＵＭ累積率、ならびにその他のセクタの対応する比率および／またはパフォーマンス・メトリックに基づいて確立されることが可能である。加えて、基地局６０２は、ＲＵＭ累積率に少なくとも一部基づいて、セクタ内のデバイス６０４によって発行されたまたは送られたＲＵＭの重みを調整する優先順位モジュール６２８を備え得る。したがって、ＲＵＭを受信する隣り合うデバイスは、重みに少なくとも一部基づいて、発行されたＲＵＭに従うべきかどうかを決定することが可能である。オプションで、ＲＵＭは、単位重みのものである場合、すべてそのような隣り合うデバイスによって従われなければならない。
【００７２】
図７は、移動体デバイス７０２を備えた例示的なシステム７００のブロック図を示す。移動体デバイス７０２は、１つまたは複数の基地局７０４および関連のある移動体ネットワーク（図示せず）と無線で結合するように構成され得る。移動体デバイス７０２は、本明細書で説明されるように、近傍の基地局のパフォーマンス・メトリックを取得して、そのメトリックを、サービス提供している基地局７０４に送信するようにさらに構成され得る。
【００７３】
移動体デバイス７０２は、信号（例えば、ＯＴＡメッセージなどの無線信号）を受信する少なくとも１本のアンテナ７０６（例えば、伝送受信機、またはインプットインターフェースを備えた、かかる受信機のグループ）と、受信された信号に関して、典型的な動作（例えば、フィルタリング、増幅、ダウンコンバートなど）を実行する（１つまたは複数の）受信機７０８とを含む。少なくともいくつかの態様によれば、（１つまたは複数の）プロセッサ７１２は、（１つまたは複数の）復調器７１０から受信された信号を解析して、かかる信号の無線パフォーマンス・メトリックを取得することが可能である。一般に、（集合的に、トランシーバと呼ばれる）アンテナ７０６および送信機７２６は、（１つまたは複数の）基地局７０４との無線データ交換を円滑にするように構成され得る。
【００７４】
アンテナ７０６および（１つまたは複数の）受信機７０８は、受信された記号を復調して、評価のために、それらの記号を（１つまたは複数の）プロセッサ７１２に提供することが可能な（１つまたは複数の）復調器７１０と結合されることも可能である。いくつかの態様では、受信機７０８は、基地局（７０４）からＯＴＡ伝送を受信することが可能である。特定の例では、受信機７０８は、隣り合う基地局から（例えば、かかる基地局からのブロードキャスト信号の一部として）隣り合う基地局のパフォーマンス・メトリックを備えたＯＴＡ伝送を取得することが可能である。このＯＴＡメッセージは、移動体デバイス７０２において解析されること、かつ／または解析のために基地局７０４に転送されることが可能である。加えて、受信機７０８は、送信機７２６における電力を低減することを移動体デバイス７０２に求めるＲＵＭを備えた、第２のＯＴＡメッセージを隣り合う基地局から取得することが可能である。
【００７５】
（１つもしくは複数の）プロセッサ７１２は、移動体デバイス７０２の１つもしくは複数の構成要素（７０６、７０８、７１０、７１４、７１６、７２４、７２６）を制御および／または参照することが可能である点に留意されたい。さらに、（１つまたは複数の）プロセッサ７１２は、移動体ハンドセット７０２の機能を実行することに関する情報または制御を備えた、１つもしくは複数のモジュール、アプリケーション、エンジンなど（７１６、７１８、７２０、７２２）を実行することが可能である。例えば、かかる機能は、本明細書で説明されるように、遠隔デバイス（７０４）との無線通信を実施すること、ＯＴＡメッセージを受信すること、かかるメッセージを解析すること、無線伝送の無線パフォーマンス・メトリックを決定すること、ＲＵＭを受信して、処理することなどを含み得る。
【００７６】
移動体ハンドセット７０２は、（１つまたは複数の）プロセッサ７１２に動作可能に結合されたメモリ７１４をさらに含み得る。メモリ７１４は、 送信されるため、受信されるためなどのデータと、遠隔デバイス（７０４）との無線通信を実施するのに適した命令とを格納することが可能である。さらに、メモリ７１６は、上の（１つまたは複数の）プロセッサによって実行されるモジュール、アプリケーション、エンジンなど（７１８、７２０、７２２）を格納することが可能である。
【００７７】
本開示のいくつかの態様では、移動体デバイス７０２は、移動体デバイス７０２において受信された無線信号のパフォーマンス・メトリック（例えば、平均データ転送速度またはメジアンデータ転送速度、干渉、ＳＮＲなど）を決定する解析モジュール７１６を備え得る。さらに、ルーティング・モジュール７１８は、受信機７０８において取得された、１つまたは複数のＯＴＡメッセージのパフォーマンス・メトリックを、移動体デバイス７０２にサービス提供している基地局７０４に無線で送信することが可能である。パフォーマンス・メトリックの値に少なくとも一部基づいて、サービス提供している基地局７０２は、ＲＵＭを含むメッセージを移動体デバイス７０４に送ることが可能である。このＲＵＭは、近傍の送信機電力を管理する際に、移動体デバイス７０２によって使用するためにデバイス７０２に発行されることが可能であり、または送信機７２６において電力を低減するために、移動体デバイス７０２に送られる、類似のかかるメッセージであってもよい。
【００７８】
本開示の特定の態様によれば、移動体デバイス７０２は、受信されたＲＵＭに関する重み係数を識別して、それを処理する優先順位モジュール７２０を備え得る。加えて、優先順位モジュール７２０は、移動体デバイス７０２による使用のために発行されたＲＵＭに関する重み係数を決定することが可能である。いずれの場合も、重み付けは、少なくとも一部、移動体デバイス７０２にサービス提供しているセクタに関連するＲＵＭ累積率によって決定されることが可能である。裁定構成要素（arbitration component）７２２は、ＤＬ  ＲＵＭの重み係数とセクタのパフォーマンス・メトリックの比較に基づいて、（例えば、移動体デバイス７０２によって送信されたＲＬデータに関する）ＤＬ  ＲＵＭに従うようにプロセッサ７１２に命令することが可能である。メモリ７１４内に格納された裁定規則は、かかる比較に基づいて、ＤＬ  ＲＵＭがいつ従われるべきかを決定することが可能である。 
前述のシステムは、いくつかの構成要素、モジュール、および／または通信インターフェースの間の相互作用に関して説明されている。かかるシステムおよび構成要素／モジュール／インターフェースは、本明細書で指定されるそれらの構成要素もしくは下位構成要素、指定された構成要素もしくは下位構成要素のうちのいくつか、および／または追加の構成要素を含み得る点を理解されたい。例えば、システムは、ＲＵＭ累積装置３０２、ＲＵＭ制御装置４０８、およびＲＵＭ管理モジュール５０４、またはこれらの構成要素ならびにその他の構成要素の異なる組合せを含み得る。下位構成要素は、親構成要素内に含まれるのではなく、その他の構成要素に通信可能に結合された構成要素として実装されることも可能である。加えて、１つまたは複数の構成要素は、集約機能性を提供する、単一の構成要素内に組み込まれることが可能である点に留意されたい。例えば、単一の構成要素によって無線通信のパフォーマンス・メトリックを受信して、受信されたメトリック情報を格納することを円滑にするために、データ・コレクタ３０８は、メモリ３１２を含むことが可能であり、またはその逆も同様である。これらの構成要素は、本明細書で詳細に説明されないが、当業者によって知られている、１つまたは複数のその他の構成要素と相互に作用することも可能である。
【００７９】
さらに、理解されるように、上で開示されたシステムおよび下で開示される方法の様々な部分は、人工知能ベース、もしくは知識ベース、または規則ベースの構成要素、下位構成要素、プロセス、手段、方法論、あるいは機構（例えば、サポートベクターマシン、ニューラル・ネットワーク（neural networks）、専門システム、ベイジアン・ビリーフネットワーク、ファジー論理、データフュジョンエンジン、識別子・・・）を含むことが可能であるか、またはこれらから構成されることが可能である。かかる構成要素は、とりわけ、かつ本明細書ですでに説明されたものに加えて、実行されるある種の機構またはプロセスを自動化し、それによって、システムおよび方法の一部をより順応的ならびに効率的かつ知的にすることが可能である。
【００８０】
上で説明された例示的なシステムに鑑みて、開示される主題に従って実装され得る方法論は、図８〜１０の流れ図を参照することによって、よりよく理解されよう。説明を簡単にするために、これらの方法論は、一連のブロックとして示され、説明されるが、いくつかのブロックは、本明細書で示され、説明されるブロックと異なる順序で、かつ／または当該ブロックとは異なるブロックと同時に発生する可能性があるため、特許請求される主題は、これらのブロックの順序によって限定されない点を理解されたい。さらに、以下で説明される方法論を実装するために、すべての例示されたブロックが必要となるとは限らない。加えて、以下で、かつ本明細書の全体を通して開示される方法論は、かかる方法論をコンピュータにトランスポートおよび転送することを円滑にするために、製品上に格納されていることが可能である点をさらに理解されたい。使用される、製品という用語は、任意のコンピュータ可読デバイス、キャリアに関するデバイス、または記憶媒体からアクセス可能なコンピュータ・プログラムを包括することが意図される。
【００８１】
図８は、移動体通信に関する干渉を低減する際にセクタ間の公平性を提供する、例示的な方法論８００の流れ図を示す。８０２において、方法８００は、少なくとも２つの移動体基地局のパフォーマンス・メトリックを取得することが可能である。このパフォーマンス・メトリックは、これらの２つの移動体基地局に関連する無線通信の品質に関し得る。特定の例として、このパフォーマンス・メトリックは、メジアンデータ転送速度、平均データ転送速度、信号干渉、ＳＮＲ、保証されたビットレートの満たされた割合、もしく無線信号の類似のメトリック、またはそれらの組合せを備え得る。
【００８２】
１つまたは複数の態様では、これらの少なくとも２つの移動体基地局は、移動体ＲＡＮサイトの隣り合う基地局であり得る。かかる状況において、基地局の無線伝送は、多くの場合、受信デバイスにおいて互いに干渉する可能性がある。かかる信号のパフォーマンス・メトリックは、受信デバイスにおいて決定されて、基地局に送信し戻されることが可能である。もう１つの態様では、このパフォーマンス・メトリックは、無線デバイスから基地局において受信されたアップリンク信号から取得されることが可能である（例えば、これらのメトリックは、アップリンク信号内で指定されることが可能であり、またはアップリンク信号自体が、かかる信号のパフォーマンス・メトリックを決定するために解析されることが可能である）。パフォーマンス・メトリック情報は、基地局間で共有されて、共通の制御デバイスにおいて集約され、かつ／またはさらなる解析のために、移動体デバイスと共有されることが可能である。
【００８３】
８０４において、方法８００は、移動体ＲＡＮサイトのセクタ内のデバイスに関するＲＵＭ累積率を決定することが可能である。この比率は、少なくとも２つの基地局のパフォーマンス・メトリックの比較に少なくとも一部基づき得る。前述の説明を例示するための特定の例として、セクタの平均データ転送速度は、（１つまたは複数の）隣り合うセクタの平均データ転送速度と比較されることが可能である。次いで、このＲＵＭ累積率は、この比較に基づいて確立され得る。１つの特定の態様では、すべてのセクタに関するパフォーマンス・メトリック・データは、集約セクタ・パフォーマンス・メトリック・データを形成するために集約されることが可能である。それぞれのセクタに関するＲＵＭ累積率は、集約セクタ・パフォーマンス・メトリック・データとの、それぞれのセクタに関するパフォーマンス・メトリックの比較に基づき得る。したがって、方法８００は、移動体ＲＡＮサイトのセクタ間の無線通信パフォーマンス関係に基づいて、ＲＵＭ累積を確立するためのアルゴリズムを提供する。かかるアルゴリズムにより、不十分に実行しているセクタを犠牲にして、セクタのパフォーマンスが改善される可能性は、低減されることが可能であり、移動体通信に関する信頼性の増大を可能にする。
【００８４】
図９は、移動体ＲＡＮサイトに関するセクタ間の公平性を提供するために、当該サイトのセクタのＲＵＭ累積率を管理することが可能な例示的な方法論９００の流れ図を示す。９０２において、方法９００は、少なくとも２つの移動体基地局のパフォーマンス・メトリックを取得することが可能である。９０４において、方法９００は、それらの少なくとも２つの基地局のそれぞれによってサービス提供される移動体ＲＡＮサイトのセクタに関するＲＵＭ累積率を決定することが可能である。９０６において、方法９００は、ＲＵＭ累積率に少なくとも一部基づいて、それぞれのセクタのデバイスに関するＲＵＭ発行率を決定することが可能である。したがって、特定のデバイス（または、例えば、デバイスの集約）がＲＵＭを発行することが可能な頻度は、その累積率を利用して決定され得る。発行率を決定するその他の要因は、セクタ内のデバイスの数、セクタのその他のデバイスと比較した、特定のデバイスに関連するパフォーマンス・メトリックス、特定のデバイスが関与する呼のタイプ（例えば、サービスの品質が高い呼には、かかる呼のパフォーマンスを維持するために、より高い発行率が与えられることが可能であり、サービスの品質が低い呼には、質は比較的に大した影響を持たないため、低い発行率が与えられることが可能であるなど）またはそれらの組合せを含み得る。
【００８５】
９０８において、方法９００は、パフォーマンス・メトリックの変更を取得することが可能である。例えば、パフォーマンス・メトリックは、後の時点で、再評価され得る。特定の例として、パフォーマンス・メトリックは、周期的に再評価され得る。現在のパフォーマンス・メトリック（または、例えば、先のメトリックと比較した、現在のメトリックの変更）は、ＲＵＭ累積率を再評価するために利用され得る。９１０において、方法９００は、集約セクタ・パフォーマンス・メトリックとのセクタ・パフォーマンスの比較に基づいて、移動体ＲＡＮサイトのセクタの累積率を更新することが可能である。したがって、セクタ・パフォーマンス・メトリックが集約パフォーマンス・メトリックよりも低い（または、例えば、しきい値の量だけ集約パフォーマンス・メトリックより少ない）場合、かかるセクタのＲＵＭ累積率は増大され得る。セクタ・パフォーマンス・メトリックが集約パフォーマンス・メトリックより大きい（または、例えば、集約パフォーマンス・メトリックにしきい値の量を加えたものより大きい）場合、セクタのＲＵＭ累積率は低減され得る。セクタ・パフォーマンス・メトリックが実質的に集約パフォーマンス・メトリックに等しい場合、ＲＵＭ累積率は、増大されること、低減されること、または変更されないままの状態であることが可能である。前述の説明に加えて、セクタ・パフォーマンス・メトリックの変更は（例えば、先のＲＵＭ累積率、移動体ＲＡＮサイトの無線状態、移動体ＲＡＮサイトの時間平均化された統計値などに基づいて決定された）一定量に基づくこと、または、ＲＵＭ累積率、少なくとも１つの隣り合うセクタ（例えば、集約パフォーマンスセクタ）と比較した、そのセクタのパフォーマンス・メトリックの差異など、またはそれらの組合せによって、少なくとも一部決定された可変量に基づくことが可能である。
【００８６】
９１２において、方法９００は、累積率に基づいてセクタ優先順位を確立することが可能である。このセクタ優先順位は、セクタのデバイスにおいて受信されたＲＵＭ累積率が受信デバイスによって従われるべきかどうかを決定するために利用されることが可能である。この優先順位は、セクタのＲＵＭ累積率に少なくとも一部基づき得る。その代わりに、または加えて、この優先順位は、受信されたＲＵＭの重みに基づき得る。９１４において、方法９００は、セクタのパフォーマンス・メトリック、またはＲＵＭ累積率に少なくとも一部基づいて、セクタのデバイスによって発行されたＲＵＭに関する重みを確立することが可能である。９１６において、デバイスは、セクタ優先順位、ＲＵＭの重み、またはそれらの両方に基づいて、受信されたＲＵＭに従うように命令される。
【００８７】
図１０は、移動体ＲＡＮサイトに関するセクタ間の公平性を円滑にする例示的な方法論１０００の流れ図を示す。１００２において、方法１０００は、基地局から発生したＯＴＡ伝送から基地局パフォーマンス・メトリックを取得することが可能である。１００４において、方法１０００は、そのパフォーマンス・メトリックを、サービス提供している基地局に転送することが可能である。１００６において、方法１０００は、パフォーマンス・メトリックに少なくとも一部基づいて、ＲＵＭを受信することが可能である。１００８において、方法１０００は、ＲＵＭの重み、もしくはサービス提供しているセクタのパフォーマンス・メトリック、またはそれら両方に基づいて、ＲＵＭに従うことが可能である。ＲＵＭに従うことは、無線伝送の電力を低減することをさらに備え得る。１０１０において、方法１０００は、サービス提供しているセクタのセクタ・パフォーマンス・メトリックを解析することが可能である。この解析は、サービス提供している基地局から受信されたＯＴＡメッセージに関し得る。１０１２において、方法１０００は、集約セクタ・パフォーマンス・メトリックと比較したセクタ・パフォーマンス・メトリックに少なくとも一部基づいて、ＲＵＭを累積することが可能であり、この場合、この集約セクタ・パフォーマンス・メトリックは、基地局に関する情報を少なくとも備える。
【００８８】
図１１は、本明細書で開示されるいくつかの態様による、無線通信を円滑にし得る例示的なシステム１１００のブロック図を示す。ダウンリンク上で、アクセスポイント１１０５において、送信（ＴＸ）データ・プロセッサ１１１０は、トラヒック・データを受信、フォーマット、符号化、インタリーブ、および変調（すなわち、記号マップ）して、変調記号（「データ記号」）を提供する。記号変調器１１１５は、データ記号およびパイロット記号を受信して、処理し、記号の流れを提供する。記号変調器１１２０は、データ記号およびパイロット記号を多重化して、それらを送信機ユニット（ＴＭＴＲ）１１２０に提供する。それぞれの送信記号は、データ記号、パイロット記号、またはゼロの信号値であり得る。パイロット記号は、それぞれの記号周期において連続的に送られることが可能である。パイロット記号は、周波数分割多重化（ＦＤＭ）されること、直交周波数分割多重化（ＯＦＤＭ）されること、時分割多重化（ＴＤＭ）されること、符号分割多重化（ＣＤＭ）されることが可能であり、あるいはそれらの適切な組合せ、または類似の変調技法および／もしくは伝送技法の組合せが行われることも可能である。
【００８９】
ＴＭＴＲ１１２０は、記号の流れを受信して、１つまたは複数のアナログ信号に変換し、無線チャネルを介した伝送に適したダウンリンク信号を生成するために、アナログ信号をさらに調整（例えば、増幅、フィルタリング、および周波数アップコンバート）する。次いで、ダウンリンク信号は、アンテナ１１２５を介して端末に送信される。端末１１３０において、アンテナ１１３５は、ダウンリンク信号を受信して、受信された信号を受信機ユニット（ＲＣＶＲ）１１４０に提供する。受信機ユニット１１４０は、受信された信号を調整（例えば、フィルタリング、増幅、および周波数ダウンコンバート）して、サンプルを取得するために、調整された信号をディジタル化する。記号復調器１１４５は、受信されたパイロット記号を復調して、チャネル推定のために、プロセッサ１１５０に提供する。記号復調器１１４５は、プロセッサ１１５０からダウンリンクに関する周波数応答推定をさらに受信して、（送信されたデータ記号の推定である）データ記号推定を取得するために、受信されたデータ記号に関してデータ復調を実行して、送信されたトラヒック・データを回復するために、データ記号推定を復調（すなわち、記号デマップ）、ディインタリーブ、および復号するＲＸデータ・プロセッサ１１５５にデータ記号推定を提供する。記号復調器１１４５およびＲＸデータ・プロセッサ１１５５による処理は、アクセスポイント１１０５における、それぞれ、記号変調器１１１５およびＴＸデータ・プロセッサ１１１０による処理に対して補完的である。
【００９０】
アップリンク上で、ＴＸデータ・プロセッサ１１６０は、トラヒック・データを処理して、データ記号を提供する。記号変調器１１６５は、データ記号を受信して、パイロット記号を用いてこれらのパイロット記号を多重化し、変調を実行して、記号の流れを提供する。次いで、送信機ユニット１１７０は、記号の流れを受信して、アンテナ１１３５によってアクセスポイント１１０５に送信されるアップリンク信号を生成するために、この記号の流れを処理する。詳細には、アップリンク信号は、 ＳＣ−ＦＤＭＡ要件に従うことが可能であり、本明細書で説明される、周波数ホッピング機構を含み得る。
【００９１】
アクセスポイント１１０５において、端末１１３０からのアップリンク信号は、アンテナ１１２５によって受信されて、サンプルを取得するために、受信機ユニット１１７５によって処理される。次いで、記号復調器１１８０は、これらのサンプルを処理して、アップリンクに関して受信されたパイロット記号とデータ記号推定とを提供する。ＲＸデータ・プロセッサ１１８５は、端末１１３０によって送信されたトラヒック・データを回復するために、データ記号推定を処理する。プロセッサ１１９０は、アップリンク上で送信している、それぞれのアクティブな端末に関してチャネル推定を実行する。複数の端末は、そのそれぞれ割り当てられたパイロットサブバンドのセット上のアップリンク上で同時にパイロットを送信することが可能であり、この場合、パイロットサブバンドセットは、インタレースされ得る。
【００９２】
プロセッサ１１９０および１１５０は、それぞれ、アクセスポイント１１０５および端末１１３０における動作を指令（例えば、制御、調整、管理など）する。それぞれのプロセッサ１１９０および１１５０は、プログラムコードおよびデータを格納するメモリユニット（図示せず）と関連付けられることが可能である。プロセッサ１１９０および１１５０は、それぞれ、アップリンクおよびダウンリンクに関する周波数応答推定およびインパルス応答推定を導出するために演算を実行することも可能である。
【００９３】
多元接続システム（例えば、ＳＣ−ＦＤＭＡ、ＦＤＭＡ、ＯＦＤＭＡ、ＣＤＭＡ、ＴＤＭＡなど）の場合、複数の端末は、アップリンク上で同時に送信することが可能である。かかるシステムの場合、パイロット・サブバンドは、異なる端末の間で共有されることが可能である。チャネル推定技法は、（場合によっては、帯域の縁を除いて）それぞれの端末に関するパイロット・サブバンドが動作帯域全体に及ぶ場合に使用され得る。かかるパイロット・サブバンド構造は、それぞれの端末に関する周波数ダイバーシティを取得するために望まれることになる。本明細書で説明される技法は、様々な手段によって実装され得る。例えば、これらの技法は、ハードウェア、ソフトウェア、またはそれらの組合せの形で実装されることが可能である。ディジタル、アナログ、またはディジタルとアナログの両方であり得るハードウェア実装形態の場合、チャネル推定のために使用される処理ユニットは、１つまたは複数の特定用途向け集積回路（ＡＳＩＣ）、ディジタル信号プロセッサ（ＤＳＰ）、ディジタル信号処理デバイス（ＤＳＰＤ）、プログラマブル論理素子（ＰＬＤ）、フィールドプログラマブルゲートアレー（ＦＰＧＡ）、プロセッサ、コントローラ、マイクロ・コントローラ、マイクロ・プロセッサ、本明細書で説明される機能を実行するように設計されたその他の電子ユニット、またはそれらの組合せの中で実装されることが可能である。ソフトウェアの場合、実装は、本明細書で説明される機能を実行するモジュール（例えば、手順、機能など）を介し得る。ソフトウェアコードは、メモリユニット内に格納されて、プロセッサ１１９０および１１５０によって実行されることが可能である。
【００９４】
図１２および１３は、移動体ＡＮのセクタ・パフォーマンス・メトリックに基づいて、ＲＵＭ累積を提供および／または円滑にする例示的なシステム１２００、１３００のブロック図を示す。システム１２００は、移動体ＲＡＮサイトのセクタのパフォーマンス・メトリックを取得するためのモジュール１２０２を備える。モジュール１２０２は、少なくとも１つの隣り合うセクタのパフォーマンス・メトリックをさらに取得することが可能である。少なくとも１つの態様では、このパフォーマンス・メトリックは、移動体ＲＡＮサイトの無線通信の単一の集約されたメトリックに集約されることが可能である。システム１２００は、セクタ内のデバイスがＲＵＭを累積する比率を確立するモジュール１２０４をさらに備え得る。モジュール１２０４は、セクタに関するパフォーマンス率と（１つまたは複数の）隣り合うセクタの（１つまたは複数の）パフォーマンス率の比較に少なくとも一部基づいてその比率を確立することが可能である。１つの特定の態様では、モジュール１２０４は、セクタに関するパフォーマンス率と、移動体ＲＡＮサイトのセクタの集約パフォーマンス率とに基づいて、この比率を確立することが可能である。
【００９５】
システム１３００は、無線ＯＴＡメッセージを取得するためのモジュール１３０２を備え得る。このモジュールは、移動体ＡＮのセクタのパフォーマンス・メトリックを備えた第１のＯＴＡメッセージを取得することが可能である。モジュール１３０２は、ＲＵＭを備えた第２のＯＴＡメッセージをさらに取得することが可能である。第１のＯＴＡメッセージおよび／または第２のＯＴＡメッセージ、ならびにそれらに関する情報は、データを格納するためのモジュール１３０６内に維持され得る。前述の説明に加えて、システム１３００は、ＯＴＡメッセージを、サービス提供している基地局に転送するためのモジュール１３０４を備え得る。モジュール１３０４は、例えば、第１のＯＴＡメッセージ、または少なくともパフォーマンス・メトリックを、サービス提供している基地局に転送することが可能である。１つの特定の態様では、サービス提供している基地局からの第１のＯＴＡメッセージに対する応答は、そのＲＵＭがシステム１３００によって従われるべきかどうかを決定することが可能である。かかる決定は、プロセス命令を実行するためのモジュール１３０８によって実装されることが可能であり、この場合、かかる命令は、セクタのパフォーマンス・メトリック、ＲＵＭの重み、またはそれら両方の組合せに少なくとも一部基づく。
【００９６】
上で説明されたことは、特許請求される主題の例示的な態様を含む。特許請求される主題を説明するために、構成要素または方法論のすべての考えられる組合せを説明することは当然不可能であるが、当業者は、開示される主題の多くのさらなる組合せおよび置換が可能であることを認識されよう。したがって、開示された主題は、添付の特許請求の範囲の趣旨および範囲に包含されるすべてのかかる代替形態、修正形態、ならびに改変形態を包括することが意図される。さらに、詳細な説明または特許請求の範囲おいて「含む」、「有する」、「有している」という用語が使用される範囲で、かかる用語は、特許請求の範囲において移行語として用いられる場合に、用語「備える」が「備える」として解釈されるのと類似の様式で包括的であることが意図される。
以下に、本願出願の当初の特許請求の範囲に記載された発明を付記する。
[１]  移動体通信を管理する方法であって、
移動体アクセスネットワーク（ＡＮ）のセクタにおいて、少なくとも１つの隣り合うセクタに関するパフォーマンス・メトリックを取得することと、
前記（１つまたは複数の）隣り合うセクタの前記パフォーマンス・メトリックに少なくとも一部基づいて、セクタ間のリソース利用公平性を実装することと、
を備える方法。 
[２]  セクタ間のリソース利用公平性を実装することが、
前記セクタにおいて干渉回避クレジットを発生させること、
無線リソースのサブセット上の送信電力を修正することを１つまたは複数の隣り合うセクタに要求すること、または
無線リソースの前記サブセット上の前記セクタの送信電力を修正することのうちの少なくとも１つを備える、[１]に記載の方法。
[３]  送信電力を修正することを前記（１つまたは複数の）隣り合うセクタに要求することが、
前記要求を前記（１つまたは複数の）隣り合うセクタに無線（ＯＴＡ）で提出するようにＵＥに命令すること、または
前記要求を、前記（１つまたは複数の）隣り合うセクタを前記セクタと結合しているバックホール・ネットワークを介して提出することのうちの少なくとも１つをさらに備える、[２]に記載の方法。
[４]  セクタ間のリソース利用公平性を実装することが、
発生している干渉回避クレジットの比率を確立することと、
発生している干渉回避クレジットの前記比率に基づいて、送信電力を修正することを前記（１つまたは複数の）隣り合うセクタに要求する比率を制限することとをさらに備える、[２]に記載の方法。
[５]  送信電力を修正することを前記（１つまたは複数の）隣り合うセクタに要求する比率を最大率または最小率によって制限することをさらに備える、[２]に記載の方法。
[６]  前記干渉回避クレジットがリソース利用メッセージ（ＲＵＭ）を備える、[２]に記載の方法。
[７]  セクタ間のリソース利用公平性を実装することが、
前記移動体ＡＮの前記セクタに関するパフォーマンス・メトリックを取得することと、
前記セクタの前記パフォーマンス・メトリックと前記（１つまたは複数の）隣り合うセクタの前記パフォーマンス・メトリックの比較に少なくとも一部基づいて、前記セクタがＲＵＭを累積する比率を確立することとを備える、[１]に記載の方法。
[８]  前記ＲＵＭ累積率またはパフォーマンス・メトリック比較に少なくとも一部基づいて、バックホール・ネットワークを介して前記隣り合うセクタにＲＵＭを発行することをさらに備える、[７]に記載の方法。
[９]  前記ＲＵＭ累積率またはパフォーマンス・メトリック比較に少なくとも一部基づいて、前記セクタ内の端末がＲＵＭを発行することを可能にすることをさらに備える、[７]に記載の方法。
[１０]  前記ＲＵＭ累積率もしくはパフォーマンス・メトリック比較に基づいて、最小ＲＵＭ発行率または最大ＲＵＭ発行率を提供することをさらに備える、[７]に記載の方法。
[１１]  ユニット重みのＲＵＭを累積する比率によって、ＲＵＭを発行する比率を変調することをさらに備える、[７]に記載の方法。
[１２]  前記セクタまたは前記隣り合うセクタの後続のパフォーマンス・メトリックの変更に少なくとも一部基づいて、前記ＲＵＭ累積率を更新することをさらに備える、[７]に記載の方法。
[１３]  所定の定数によって、前記ＲＵＭ累積率を更新することをさらに備える、[１２]に記載の方法。
[１４]  前記セクタの前記パフォーマンス・メトリックに少なくとも一部応じる可変率によって、前記ＲＵＭ累積率を更新することをさらに備える、[１２]に記載の方法。
[１５]  前記パフォーマンス・メトリックとして、メジアンデータ転送速度、平均データ転送速度、スループット、遅延、レイテンシ、帯域幅、信号強度、セクタのトラヒックロード、セクタによってサービス提供される端末の数、保証されたビットレート整合性、またはそれらの組合せを用いることをさらに備える、[１]に記載の方法。
[１６]  セクタ間のリソース利用公平性を実装することが、前記移動体ＡＮの複数のセクタのパフォーマンス・メトリックを集約することをさらに備える、[１]に記載の方法。
[１７]  前記セクタに関するパフォーマンス・メトリックが前記集約パフォーマンス・メトリック未満の場合、送信電力を修正することを前記（１つまたは複数の）隣り合うセクタに要求する比率を増大することをさらに備える、[１６]に記載の方法。
[１８]  前記セクタに関するパフォーマンス・メトリックが前記集約パフォーマンス・メトリック以上である場合、送信電力を修正することを前記（１つまたは複数の）隣り合うセクタに要求する比率を低減することをさらに備える、[１６]に記載の方法。
[１９]  前記（１つまたは複数の）隣り合うセクタからパフォーマンス・メトリック情報を収集するためにネットワークバックホールを用いること、または
前記移動体ＡＮによってサービス提供されるユーザ端末から前記パフォーマンス・メトリック情報を受信すること
のうち少なくとも１つをさらに備える、[１]に記載の方法。
[２０]  前記隣り合うセクタによって発行されたＲＵＭの優先順位を決定するために、前記セクタ間のリソース利用公平性の測定を用いることをさらに備える、[１]に記載の方法。
[２１]  前記セクタ間のリソース利用公平性の測定に少なくとも一部基づいて、前記セクタによって発行されたＲＵＭの優先順位に重み付けることをさらに備える、[１]に記載の方法。
[２２]  無線通信を管理する装置であって、
移動体ＡＮのセクタにおいて、少なくとも１つの隣り合うセクタに関するパフォーマンス・メトリックを取得するデータ・コレクタと、
前記（１つまたは複数の）隣り合うセクタの前記パフォーマンス・メトリックに少なくとも一部基づいて、セクタ間のリソース利用公平性を実装する管理モジュールと、
前記装置のモジュールに関して取得されたパフォーマンス・メトリック・データおよび命令を格納するメモリと、
前記装置の機能を実装するために、前記メモリ内に格納された前記命令を実行するプロセッサと、
を備える装置。
[２３]  前記管理モジュールが、
前記セクタにおいて干渉回避クレジットを発生させること、
無線リソースのサブセット上の送信電力を修正することを１つまたは複数の隣り合うセクタに要求すること、または
無線リソースの前記サブセット上の前記セクタの送信電力を修正することのうちの少なくとも１つによって、セクタ間のリソース利用公平性を実装する、[２２]に記載の装置。
[２４]  前記管理モジュールが、
前記要求を前記（１つまたは複数の）隣り合うセクタにＯＴＡで提出するようにＵＥに命令すること、または
前記要求を前記（１つまたは複数の）隣り合うセクタを前記セクタと結合しているバックホール・ネットワークを介して提出することのうちの少なくとも１つを行う、[２３]に記載の装置。
[２５]  前記管理モジュールが、
発生している干渉回避クレジットの比率を確立することと、
発生している干渉回避クレジットの前記比率に基づいて、送信電力を修正することを前記（１つまたは複数の）隣り合うセクタに要求する比率を制限することとによって、セクタ間のリソース利用公平性をさらに実装する、[２３]に記載の装置。
[２６]  前記管理モジュールが、送信電力を修正することを前記（１つまたは複数の）隣り合うセクタに要求する比率を最大率または最小率によって制限する、[２３]に記載の装置。
[２７]  前記干渉回避クレジットがＲＵＭを備える、[２３]に記載の装置。
[２８]  前記データ・コレクタが、前記無線ＡＮの前記セクタに関するパフォーマンス・メトリックを取得し、
前記管理モジュールが、前記セクタの前記パフォーマンス・メトリックと前記（１つまたは複数の）隣り合うセクタの前記パフォーマンス・メトリックの比較に少なくとも一部基づいて、前記セクタに関するＲＵＭ累積率を確立する、
[２２]に記載の装置。
[２９]  前記ＲＵＭ累積率もしくはパフォーマンス・メトリック比較に少なくとも一部基づいて、バックホール・ネットワークを介して前記隣り合うセクタにＲＵＭを発行すること、または、
前記ＲＵＭ累積率もしくはパフォーマンス・メトリック比較に少なくとも一部基づいて、前記ＲＵＭを発行するように前記セクタ内の端末に命令すること
のうちの少なくとも１つを行う、実装モジュールをさらに備える、[２８]に記載の装置。
[３０]  前記実装モジュールが、ユニット重みのＲＵＭを累積する比率によって、ＲＵＭを発行する比率を変調する、[２９]に記載の装置。
[３１]  前記実装モジュールが、前記ＲＵＭ累積率またはパフォーマンス・メトリック比較に少なくとも一部基づいて、最小ＲＵＭ発行率または最大ＲＵＭ発行率を提供する、[２９]に記載の装置。
[３２]  前記セクタの後続のパフォーマンス・メトリックの変更に少なくとも一部基づいて、前記ＲＵＭ累積率を更新する優先順位調整モジュールをさらに備える、[２８]に記載の装置。
[３３]  前記データ・コレクタが、前記移動体ＡＮの複数のセクタに関するパフォーマンス・メトリック・データを集約し、
前記セクタに関するＲＵＭ累積率が、前記集約パフォーマンス・メトリック・データに少なくとも一部基づく、
[３２]に記載の装置。
[３４]  前記セクタに関するパフォーマンス・メトリックが前記集約パフォーマンス・メトリック未満である場合、前記優先順位調整モジュールが、送信電力を修正することを前記（１つまたは複数の）隣り合うセクタに要求する比率を増大する、[３３]に記載の装置。
[３５]  前記セクタに関するパフォーマンス・メトリックが前記集約パフォーマンス・メトリック以上である場合、前記優先順位調整モジュールが、送信電力を修正することを前記（１つまたは複数の）隣り合うセクタに要求する比率を低減する、[３３]に記載の装置。
[３６]  前記優先順位調整モジュールが、所定の定数によって前記ＲＵＭ累積率を更新する、[３２]に記載の装置。
[３７]  前記優先順位調整モジュールが、前記セクタの前記パフォーマンス・メトリック、または前記（１つもしくは複数の）隣り合うセクタの前記パフォーマンス・メトリックに少なくとも一部応じる可変率によって前記ＲＵＭ累積率を更新する、[３２]に記載の装置。
[３８]  前記パフォーマンス・メトリックが、メジアンデータ転送速度、平均データ転送速度、スループット、遅延、レイテンシ、帯域幅、信号強度、セクタのトラヒックロード、セクタによってサービス提供される端末の数、保証されたビットレート整合性、またはそれらの組合せを備える、[２２]に記載の装置。
[３９]  前記データ・コレクタが、ネットワークバックホールを経由して前記パフォーマンス・メトリックを取得する、[２２]に記載の装置。
[４０]  前記データ・コレクタが、前記移動体ＡＮによってサービス提供されるユーザ端末から前記パフォーマンス・メトリックを取得する、[２２]に記載の装置。
[４１]  前記隣り合うセクタによって発行されたＲＵＭに関する優先順位を決定するために、前記セクタ間のリソース利用公平性の測定を用いるＲＵＭパーサをさらに備える、[２２]に記載の装置。
[４２]  前記セクタ間のリソース利用公平性の測定に少なくとも一部基づいて、前記セクタのデバイスによって発行されたＲＵＭの重みを調整する優先順位モジュールをさらに備える、[２２]に記載の装置。
[４３]  移動体通信を管理するように構成された装置であって、
移動体ＡＮのセクタにおいて、少なくとも１つの隣り合うセクタのパフォーマンス・メトリックを取得するための手段と、
前記（１つまたは複数の）隣り合うセクタの前記パフォーマンス・メトリックに少なくとも一部基づいて、セクタ間のリソース利用公平性を実装するための手段とを備える装置。
[４４]  セクタ間のリソース利用公平性を実装するための前記手段が、前記（１つもしくは複数の）隣り合うセクタの前記パフォーマンス・メトリックまたは前記セクタのパフォーマンス・メトリック、あるいはかかるメトリックの組合せに基づいて、前記セクタに関するＲＵＭ累積率を確立するための手段を備える、[４３]に記載の装置。
[４５]  前記ＲＵＭ累積率に少なくとも一部基づいて、ＲＵＭを送るための比率を決定するための手段をさらに備える、[４４]に記載の装置。
[４６]  前記比較における変更に少なくとも一部基づいて、前記ＲＵＭ累積率を更新するための手段をさらに備える、[４４]に記載の装置。
[４７]  複数のセクタに関する前記パフォーマンス・メトリックを集約するための手段をさらに備え、更新するための前記手段が、集約されたパフォーマンス・メトリックに少なくとも一部基づいて、前記ＲＵＭ累積率を調整する、[４６]に記載の装置。
[４８]  更新するための前記手段が、
前記セクタに関する前記パフォーマンス・メトリックが、前記集約されたパフォーマンス・メトリック未満である場合、前記ＲＵＭ累積率を増大すること、または
前記セクタに関する前記パフォーマンス・メトリックが、前記集約されたパフォーマンス・メトリック以上である場合、前記ＲＵＭ累積率を低減すること
のうちの少なくとも１つを行う、[４６]に記載の装置。
[４９]  移動体通信を管理するように構成されたプロセッサであって、 
移動体ＡＮのセクタにおいて、少なくとも１つの隣り合うセクタのパフォーマンス・メトリックを取得する第１のモジュールと、
前記（１つまたは複数の）隣り合うセクタの前記パフォーマンス・メトリックに少なくとも一部基づいて、セクタ間のリソース利用公平性を実装する第２のモジュールとを備えるプロセッサ。
[５０]  移動体通信を管理するように構成されたコンピュータ可読命令を備え、前記命令が、
移動体ＡＮのセクタにおいて、少なくとも１つの隣り合うセクタに関するパフォーマンス・メトリックを取得して、
前記（１つまたは複数の）隣り合うセクタの前記パフォーマンス・メトリックに少なくとも一部基づいて、セクタ間のリソース利用公平性を実装するために、少なくとも１つのコンピュータによって実行可能なコンピュータ可読媒体。
[５１]  無線通信を円滑にするための方法であって、
移動体基地局の信号パフォーマンス・メトリックを備える無線（ＯＴＡ）伝送を取得することと、
少なくとも一部、前記信号パフォーマンス・メトリックを、サービス提供している移動体基地局に転送することによって、セクタ間のリソース利用公平性を円滑にすることとを備える方法。
[５２]  前記信号パフォーマンス・メトリックに少なくとも一部基づいて、アクセス端末（ＡＴ）にＲＵＭを発行する第２のＯＴＡ伝送を受信することをさらに備える、[５１]に記載の方法。
[５３]  前記ＲＵＭ内に含まれた重み係数を決定すること、または
前記サービス提供している移動体基地局に関連するセクタのパフォーマンス・メトリックを取得すること
のうちの少なくとも１つをさらに備える、[５２]に記載の方法。
[５４]  前記重み係数または前記セクタ・パフォーマンス・メトリックに少なくとも一部基づいて、前記ＲＵＭに従うことをさらに備える、[５３]に記載の方法。
[５５]  前記サービス提供している移動体基地局に関連するセクタのパフォーマンス・メトリックを決定するために、前記第２のＯＴＡ伝送を解析することと、
前記セクタの前記パフォーマンス・メトリックを、前記サービス提供している移動体基地局に送信することと
をさらに備える、[５２]に記載の方法。
[５６]  前記セクタの前記パフォーマンス・メトリック、あるいは前記セクタおよび１つもしくは複数のその他のセクタの集約セクタ・パフォーマンス・メトリックと比較した、前記ＡＴによって観測された干渉によって少なくとも一部決定された調整可能な比率で、ＲＵＭを累積することをさらに備える、[５５]に記載の方法。
[５７]  最小率または最大率を用いて、前記ＲＵＭ累計率を変調することをさらに備える、[５６]に記載の方法。
[５８]  ＡＴであって、
移動体基地局の信号パフォーマンス・メトリックを備えた第１のＯＴＡ伝送と、ＲＵＭを備えた第２のＯＴＡ伝送とを取得する受信機と、
少なくとも一部、前記信号パフォーマンス・メトリックを、サービス提供している移動体基地局に無線で送信することによって、セクタ間のリソース利用公平性を円滑にするルーティング・モジュールと、
前記ＡＴに関するデータ・モジュールおよびプロセス・モジュールを格納するメモリと、
前記ＡＴの機能を実装するために、プロセス・モジュール命令を実行するプロセッサとを備えるＡＴ。
[５９]  前記受信機が、前記信号パフォーマンス・メトリックに少なくとも一部基づいて、前記ＡＴにＲＵＭを発行する第２のＯＴＡ伝送を取得する、[５８]に記載のＡＴ。
[６０]  前記ＲＵＭの重み係数を決定する優先順位モジュール、または
前記サービス提供している移動体基地局に関連するセクタのパフォーマンス・メトリックを測定するチャネル解析モジュール
のうちの少なくとも１つをさらに備える、[５９]に記載のＡＴ。
[６１]  前記重み係数と前記セクタ・パフォーマンス・メトリックの比較に基づいて、前記ＲＵＭに従うことを前記プロセッサに命令する裁定構成要素をさらに備える、[６０]に記載のＡＴ。
[６２]  前記サービス提供している移動体基地局に関連するセクタのパフォーマンス・メトリックを決定するために、前記第２のＯＴＡ伝送を測定するチャネル解析モジュールをさらに備える、[５８]に記載のＡＴ。
[６３]  前記受信機が、前記セクタの前記パフォーマンス・メトリック、または前記ＡＴによって観測された干渉、ならびに前記セクタおよび１つもしくは複数のその他のセクタの集約セクタ・パフォーマンス・メトリックによって少なくとも一部決定された調整可能な比率で、前記サービス提供している移動体基地局によって前記ＡＴに割り当てられたＲＵＭを累積する、[６２]に記載のＡＴ。
[６４]  前記ＲＵＭ累積率が、最小率または最大率を用いて変調される、[６３]に記載のＡＴ。
[６５]  無線通信を円滑にする装置であって、
移動体基地局の信号パフォーマンス・メトリックを備えた第１のＯＴＡ伝送と、ＲＵＭを備えた第２のＯＴＡ伝送とを取得するための手段と、
少なくとも一部、前記パフォーマンス・メトリックを、サービス提供している移動体基地局に無線で送信することによって、セクタ間のリソース利用公平性を円滑にするための手段と、
当該装置に関するデータ・モジュールおよびプロセス・モジュールを格納するための手段と、
当該装置の機能を実施するためのプロセス・モジュール命令を実行する処理のための手段と、
を備える装置。
[６６]  前記第１のＯＴＡ伝送を取得するための前記手段が、前記信号パフォーマンス・メトリックに一部基づいて、前記装置にＲＵＭを発行する第２のＯＴＡ伝送をさらに取得する、[６５]に記載の装置。
[６７]  前記サービス提供している移動体基地局に関連するセクタのパフォーマンス・メトリックを測定するための手段と、
前記セクタ・パフォーマンス・メトリックに少なくとも一部基づいて、前記ＲＵＭに従うかどうかを決定するための手段と
をさらに備える、[６６]に記載の装置。
[６８]  前記サービス提供している基地局のセクタ・パフォーマンス・メトリックを決定するために、前記第２のＯＴＡ伝送を解析するための手段をさらに備える、[６６]に記載の装置。
[６９]  前記セクタの前記パフォーマンス・メトリック、または前記装置によって観測された干渉、ならびに前記セクタおよび１つもしくは複数のその他のセクタの集約セクタ・パフォーマンス・メトリックによって少なくとも一部決定された調整可能な比率で、前記サービス提供している移動体基地局によって前記装置に割り当てられたＲＵＭを累積するための手段をさらに備える、[６８]に記載の装置。
[７０]  最小率または最大率を用いて、前記ＲＵＭ累積率を変調するための手段をさらに備える、[６９]に記載の装置。
[７１]  無線通信を円滑にするように構成されたプロセッサであって、
移動体基地局の信号パフォーマンス・メトリックを備えたＯＴＡ伝送を取得する第１のモジュールと、
少なくとも一部、前記信号パフォーマンス・メトリックを、サービス提供している移動体基地局に転送することによって、セクタ間のリソース利用公平性を実装する第２のモジュールと、
を備えるプロセッサ。
[７２]  無線通信を円滑にするように構成されたコンピュータ可読命令を備え、前記命令が、
移動体基地局の信号パフォーマンス・メトリックを備えたＯＴＡ伝送を取得して、
少なくとも一部、前記信号パフォーマンス・メトリックを、サービス提供している移動体基地局に転送することによって、セクタ間のリソース利用公平性を実装するために、少なくとも１つのコンピュータによって実行可能なコンピュータ可読媒体。
【図１】
0005474832.tif 000007
【図２】
0005474832.tif 000008
【図３】
0005474832.tif 000009
【図４】
0005474832.tif 000010
【図５】
0005474832.tif 000011
【図６】
0005474832.tif 000012
【図７】
0005474832.tif 000013
【図８】
0005474832.tif 000014
【図９】
0005474832.tif 000015
【図１０】
0005474832.tif 000016
【図１１】
0005474832.tif 000017
【図１２】
0005474832.tif 000018
【図１３】
0005474832.tif 000019